(57)【要約】【課題】ユーザの気分や聴取環境等に沿った音楽コンテンツを再生楽曲候補をとして呈示することができると共に、聴取しているユーザの嗜好や周辺環境などをリアルタイムに楽曲に反映させて、楽曲自身を再構成することができるようにする。【解決手段】第１の取得手段は、複数個の音楽コンテンツのデータが格納されている音楽コンテンツデータ記憶部から、再生対象の音楽コンテンツのデータを取得する。第２の取得手段は、属性情報記憶部から音楽コンテンツの楽曲素材単位の属性情報を取得する。音響再生出力を聴取するリスナーの生体情報を取得し、取得したリスナーの生体情報と、第２の取得手段により取得した属性情報とに基づいて、次の再生楽曲候補を決定する。取得したリスナーの生体情報と、第２の取得手段により取得した属性情報とに基づいて、音響再生出力する再生対象の音楽コンテンツのデータを再構成する。【選択図】図１
2006146980.tif 000002
【特許請求の範囲】
【請求項１】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
前記音響再生出力を聴取するリスナーの生体情報を取得する手段と、
前記取得したリスナーの生体情報と、前記第２の取得手段により取得した前記属性情報とに基づいて、次の再生楽曲候補を決定する決定手段と、
を備える音楽コンテンツの再生装置。
【請求項２】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
前記音響再生出力を聴取するリスナーの生体情報を取得する手段と、
前記取得したリスナーの生体情報に基づいて、前記音響再生出力中の音楽コンテンツに対して前記リスナーが嗜好を示しているかどうかを判別する手段と、
前記リスナーが嗜好を示していると判別したときに、前記第２の取得手段により取得した前記属性情報に基づいて、前記再生対象の音楽コンテンツの属性情報の前記楽曲構成情報と似ている楽曲構成情報を含む属性情報の他の音楽コンテンツを検索して、次の再生楽曲候補とする手段と、
を備える音楽コンテンツの再生装置。
【請求項３】
請求項２に記載の音楽コンテンツの再生装置において、
音楽コンテンツについての過去の再生履歴を保持する再生履歴保持部と、
前記リスナーが嗜好を示していないと判別したときに、前記再生履歴保持部の前記再生履歴を参照して、再生頻度の高い音楽コンテンツを検出する手段と、
前記再生頻度の高い音楽コンテンツの属性情報を前記属性情報記憶部から取得すると共に、当該取得した属性情報の楽曲構成情報と似ている楽曲構成情報を含む属性情報を持つ音楽コンテンツを、次の再生楽曲候補とする手段と、
を備える音楽コンテンツの再生装置。
【請求項４】
請求項２または請求項３に記載の音楽コンテンツの再生装置において、
周辺環境情報を取得する周辺環境情報取得手段を備え、
前記属性情報に含まれる周辺環境情報が、前記周辺環境情報取得手段で取得した周辺環境情報と似ていることを、前記次の再生楽曲候補とする条件に加える
ことを特徴とする音楽コンテンツの再生装置。
【請求項５】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
音楽コンテンツについての過去の再生履歴を保持する再生履歴保持部と、
前記再生履歴保持部の前記再生履歴を参照して、再生頻度の高い音楽コンテンツを検出する手段と、
前記第２の取得手段により前記再生頻度の高い音楽コンテンツの属性情報を前記属性情報記憶部から取得すると共に、当該取得した属性情報と似ている属性情報を持つ音楽コンテンツを、次の再生楽曲候補とする手段と、
を備える楽曲再生装置。
【請求項６】
請求項５に記載の音楽コンテンツの再生装置において、
周辺環境情報を取得する周辺環境情報取得手段を備え、
前記属性情報に含まれる周辺環境情報が、前記周辺環境情報取得手段で取得した周辺環境情報と似ていることを、前記次の再生楽曲候補と決定する条件に加える
ことを特徴とする音楽コンテンツの再生装置。
【請求項７】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得ステップで取得した前記再生対象の音楽コンテンツデータを音響再生出力するステップと、
前記音響再生出力を聴取するリスナーの生体情報を取得するステップと、
前記取得したリスナーの生体情報と、前記第２の取得ステップで取得した前記属性情報とに基づいて、次の再生楽曲候補を決定する決定ステップと、
を備える音楽コンテンツの再生方法。
【請求項８】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得ステップで取得した前記再生対象の音楽コンテンツデータを音響再生出力するステップと、
前記音響再生出力を聴取するリスナーの生体情報を取得するステップと、
前記取得したリスナーの生体情報に基づいて、前記音響再生出力中の音楽コンテンツに対して前記リスナーが嗜好を示しているかどうかを判別するステップと、
前記リスナーが嗜好を示していると判別したときに、前記第２の取得ステップにより取得した前記属性情報に基づいて、前記再生対象の音楽コンテンツの属性情報の前記楽曲構成情報と似ている楽曲構成情報を含む属性情報の他の音楽コンテンツを検索して、次の再生楽曲候補とする決定ステップと、
を備える音楽コンテンツの再生方法。
【請求項９】
請求項８に記載の音楽コンテンツの再生方法において、
前記リスナーが嗜好を示していないと判別したときに、音楽コンテンツについての過去の再生履歴を保持する再生履歴保持部の前記再生履歴を参照して、再生頻度の高い音楽コンテンツを検出するステップを備えると共に、
前記決定ステップでは、前記再生頻度の高い音楽コンテンツの属性情報を前記属性情報記憶部から取得すると共に、当該取得した属性情報と似ている属性情報を持つ音楽コンテンツを、次の再生楽曲候補として決定する
ことを特徴とする音楽コンテンツの再生方法。
【請求項１０】
請求項８または請求項９に記載の音楽コンテンツの再生方法において、
周辺環境情報を取得する周辺環境情報取得ステップを備えると共に、
前記決定ステップでは、前記属性情報に含まれる周辺環境情報が、前記周辺環境情報取得手段で取得した周辺環境情報と似ていることを、前記次の再生楽曲候補を決定する条件に加える
ことを特徴とする音楽コンテンツの再生方法。
【請求項１１】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得手段により取得した前記再生対象の音楽コンテンツデータを音響再生出力するステップと、
音楽コンテンツについての過去の再生履歴を保持する再生履歴保持部の前記再生履歴を参照して、再生頻度の高い音楽コンテンツを検出するステップと、
前記第２の取得ステップで前記再生頻度の高い音楽コンテンツの属性情報を前記属性情報記憶部から取得すると共に、当該取得した属性情報と似ている属性情報を持つ音楽コンテンツを、次の再生楽曲候補とする決定ステップと、
を備える音楽コンテンツの再生方法。
【請求項１２】
請求項１１に記載の音楽コンテンツの再生方法において、
周辺環境情報を取得する周辺環境情報取得ステップを備えると共に、
前記決定ステップでは、前記記録媒体に格納されている音楽コンテンツの前記属性情報に含まれる周辺環境情報が、前記周辺環境情報取得手段で取得した周辺環境情報と似ていることを、前記次の再生楽曲候補を決定する条件に加える
ことを特徴とする音楽コンテンツの再生方法。
【請求項１３】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
前記音響再生出力を聴取するリスナーの生体情報を取得する手段と、
前記取得したリスナーの生体情報と、前記第２の取得手段により取得した属性情報とに基づいて、前記音響再生出力する前記再生対象の音楽コンテンツのデータを再構成する再構成手段と、
を備える音楽コンテンツの再生装置。
【請求項１４】
請求項１３に記載の音楽コンテンツの再生装置において、
周辺環境情報を取得する周辺環境情報取得手段を備え、
前記再構成手段は、前記取得したリスナーの生体情報と、前記第２の取得手段により取得された前記属性情報とに加えて、前記周辺環境情報取得手段で取得した前記周辺環境情報に基づいて、前記音響再生出力する前記再生対象の音楽コンテンツのデータを再構成する
ことを特徴とする音楽コンテンツの再生装置。
【請求項１５】
請求項１３または請求項１４に記載の音楽コンテンツの再生装置において、
音楽コンテンツについての過去の再生履歴を保持する再生履歴保持部を備え、
前記再構成手段は、前記取得したリスナーの生体情報と、前記属性情報とに加えて、前記再生履歴保持部から取得した前記再生履歴の情報に基づいて、前記音響再生出力する前記再生対象の音楽コンテンツのデータを再構成する
ことを特徴とする音楽コンテンツの再生装置。
【請求項１６】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
音楽コンテンツについての過去の再生履歴を保持する再生履歴保持部を備え、
前記再生履歴保持部から取得した前記再生履歴と、前記再生対象の音楽コンテンツについての前記属性情報とに基づいて、前記音響再生出力する前記再生対象の音楽コンテンツのデータを再構成する手段と、
を備える音楽コンテンツの再生装置。
【請求項１７】
請求項１６に記載の音楽コンテンツの再生装置において、
周辺環境情報を取得する周辺環境情報取得手段を備え、
前記再構成手段は、前記再生対象の音楽コンテンツについての前記属性情報と、前記再生履歴保持部から取得した前記再生履歴に加えて、前記周辺環境情報取得手段で取得した前記周辺環境情報に基づいて、前記音響再生出力する前記再生対象の音楽コンテンツのデータを再構成する
ことを特徴とする音楽コンテンツの再生装置。
【請求項１８】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
周辺環境情報を取得する周辺環境情報取得手段と、
前記周辺環境情報取得手段から取得した前記周辺環境情報と、前記再生対象の音楽コンテンツについての前記属性情報とに基づいて、前記音響再生出力する前記再生対象の音楽コンテンツのデータを再構成する手段と、
を備える音楽コンテンツの再生装置。
【請求項１９】
請求項１３〜１８のいずれかに記載の音楽コンテンツの再生装置において、
前記再構成手段は、前記再生中の音楽コンテンツの楽曲素材単位で他の楽曲の楽曲素材単位のデータを加算する手段を含む
ことを特徴とする音楽コンテンツの再生装置。
【請求項２０】
請求項１３〜１８のいずれかに記載の音楽コンテンツの再生装置において、
前記再構成手段は、前記再生中の音楽コンテンツの楽曲素材単位で特殊効果を施す
ことを特徴とする音楽コンテンツの再生装置。
【請求項２１】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得ステップにより取得した前記再生対象の音楽コンテンツデータを音響再生出力するステップと、
前記音響再生出力を聴取するリスナーの生体情報を取得するステップと、
前記取得したリスナーの生体情報と、前記第２の取得手段により取得した属性情報とに基づいて、前記音響再生出力する前記再生対象の音楽コンテンツのデータを再構成する再構成ステップと、
を備える音楽コンテンツの再生方法。
【請求項２２】
請求項２１に記載の音楽コンテンツの再生方法において、
周辺環境情報を取得する周辺環境情報取得ステップを備え、
前記再構成ステップでは、前記取得したリスナーの生体情報と、前記楽曲素材単位の属性情報とに加えて、前記周辺環境情報取得ステップで取得した前記周辺環境情報に基づいて、前記音響再生出力する前記再生対象の音楽コンテンツのデータを再構成する
ことを特徴とする音楽コンテンツの再生方法。
【請求項２３】
請求項２１または請求項２２に記載の音楽コンテンツの再生装置において、
音楽コンテンツについての再生履歴を再生履歴保持部に保持するステップと、
前記再構成ステップでは、前記取得したリスナーの生体情報と、前記属性情報とに加えて、前記再生履歴保持部から取得した前記再生履歴の情報に基づいて、前記音響再生出力する前記再生対象の音楽コンテンツのデータを再構成する
ことを特徴とする音楽コンテンツの再生方法。
【請求項２４】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得ステップにより取得した前記再生対象の音楽コンテンツデータを音響再生出力するステップと、
音楽コンテンツについての過去の再生履歴を保持する再生履歴保持部から取得した前記再生履歴と、前記再生対象の音楽コンテンツについての前記属性情報とに基づいて、前記音響再生出力する前記再生対象の音楽コンテンツのデータを再構成する再構成ステップと、
ことを特徴とする音楽コンテンツの再生方法。
【請求項２５】
請求項２４に記載の音楽コンテンツの再生方法において、
周辺環境情報を取得する周辺環境情報取得ステップを備え、
前記再構成ステップでは、前記再生対象の音楽コンテンツについての前記属性情報と、前記再生履歴保持部から取得した前記再生履歴に加えて、前記周辺環境情報取得ステップで取得した前記周辺環境情報に基づいて、前記音響再生出力する前記再生対象の音楽コンテンツのデータを再構成する
ことを特徴とする音楽コンテンツの再生方法。
【請求項２６】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得手段により取得した前記再生対象の音楽コンテンツデータを音響再生出力するステップと、
周辺環境情報を取得する周辺環境情報取得ステップと、
前記周辺環境情報取得ステップで取得した前記周辺環境情報と、前記再生対象の音楽コンテンツについての前記属性情報とに基づいて、前記音響再生出力する前記再生対象の音楽コンテンツのデータを再構成する再構成ステップと、
を備える音楽コンテンツの再生方法。
【請求項２７】
請求項２１〜２６のいずれかに記載の音楽コンテンツの再生方法において、
前記再構成ステップでは、前記再生中の音楽コンテンツの楽曲素材単位で他の楽曲の楽曲素材単位のデータを加算する
ことを特徴とする音楽コンテンツの再生方法。
【請求項２８】
請求項２１〜２６のいずれかに記載の音楽コンテンツの再生方法において、
前記再構成ステップでは、前記再生中の音楽コンテンツの楽曲素材単位で特殊効果を施す
ことを特徴とする音楽コンテンツの再生方法。
【請求項２９】
請求項２０に記載の音楽コンテンツの再生装置において、
前記楽曲素材単位の前記特殊効果のための情報は、前記属性情報の一部として含まれている
ことを特徴とする音楽コンテンツの再生装置。
【請求項３０】
記録対象の音楽コンテンツの音楽素材単位の楽曲構成情報を取得する楽曲構成情報取得手段と、
前記記録対象の音楽コンテンツのデータと、前記楽曲構成情報取得手段で取得した前記楽曲構成情報を含む前記記録対象の音楽コンテンツの属性情報とを関連付けて、記録媒体に記録する手段と、
を備えることを特徴とする音楽コンテンツおよびその属性情報の記録装置。
【請求項３１】
請求項３０に記載の音楽コンテンツおよびその属性情報の記録装置において、
音楽コンテンツについての過去の再生履歴を取得する再生履歴取得手段と、
前記再生履歴取得手段で取得した前記再生履歴を前記属性情報に含めて前記記録媒体に記録する
ことを特徴とする音楽コンテンツおよびその属性情報の記録装置。
【請求項３２】
請求項３０に記載の音楽コンテンツおよびその属性情報の記録装置において、
記録時点の周辺環境情報を取得する周辺環境情報取得手段と、
前記周辺環境情報取得手段で取得した前記周辺環境情報を前記属性情報に含めて前記記録媒体に記録する
ことを特徴とする音楽コンテンツおよびその属性情報の記録装置。
【請求項３３】
記録対象の音楽コンテンツの音楽素材単位の楽曲構成情報を取得する楽曲構成情報取得手段と、
音楽コンテンツについての過去の再生履歴を取得する再生履歴取得手段と、
記録時点の周辺環境情報を取得する周辺環境情報取得手段と、
前記楽曲構成情報取得手段で取得する楽曲構成情報以外のその他楽曲構成情報を入力する入力手段と、
前記楽曲構成情報取得手段で取得した前記楽曲構成情報と、前記再生履歴取得手段で取得した前記再生履歴の情報と、前記周辺環境情報取得手段で取得した前記周辺環境情報と、前記入力手段から入力された前記その他楽曲構成情報とから、ユーザの設定入力に応じて楽曲の再構成のための属性情報を設定する属性情報設定手段と、
前記記録対象の音楽コンテンツのデータと、前記属性情報設定手段で設定された前記属性情報とを関連付けて、記録媒体に記録する手段と、
を備えることを特徴とする音楽コンテンツおよびその属性情報の記録装置。
【発明の詳細な説明】
【技術分野】
【０００１】
この発明は、音楽コンテンツの再生装置、再生方法および音楽コンテンツおよびその属性情報の記録装置に関する。
【背景技術】
【０００２】
光ディスクやハードディスクなどの記録媒体の記録容量が大きくなったことから、それら記録媒体に大量の音楽コンテンツが格納可能となっている。そして、この大容量の記録媒体を用いた音楽コンテンツの再生装置も提供されている。
【０００３】
従来のこの種の音楽コンテンツの再生装置においては、音楽視聴を行なうユーザ自身が、大量の音楽コンテンツの中から自分の聞きたい音楽コンテンツを選択し、再生操作を行なっている。
【０００４】
例えば、音楽コンテンツをジャンル、アーティスト、１９７０年代などのようなキーワードにより、階層構造にして分類分けしておき、ユーザは、それらのキーワードを検索しながら、最終的に曲名を選択して音楽コンテンツを選択するようにする。
【０００５】
また、例えば、ユーザの過去の音楽コンテンツに関する再生履歴を利用して、ユーザに、再生楽曲候補を推薦するシステムも提供されている（例えば、特許文献１（特開２００３−１７３３５０公報）参照）。
【０００６】
また、従来の音楽コンテンツの再生装置においては、再生される楽曲は、楽曲制作者の意図した通りにそのまま再生されるのみで、特にユーザ毎に曲調の変化が施される等の個人の嗜好性が反映されるものは存在していない。
【０００７】
上記の特許文献は、次の通りである。
【特許文献１】特開２００３−１７３３５０公報
【発明の開示】
【発明が解決しようとする課題】
【０００８】
しかしながら、音楽コンテンツの再生装置のユーザは、記録媒体に何千曲・何万曲という膨大な数の楽曲が、記録されている場合、所望の楽曲を検索し、選択する操作は、極めて煩雑であり、希望する音楽コンテンツを短時間で見つけ出すことはなかなか困難である。
【０００９】
また、ユーザが音楽コンテンツを検索、選択する方法の場合、その検索、選択の手がかりが、ジャンルや、アーティスト名や、曲名に限られるため、それらのテキスト情報を用いて検索しても、その楽曲を聴いてみるまでは、ユーザのその時の気分に合った楽曲かどうかわからないという問題もある。
【００１０】
過去の再生履歴を用いてユーザに再生楽曲候補を呈示する方法を用いて、多数ある音楽コンテンツの中から、自動的に連続再生を行なうようにすれば、ユーザが検索、選択する手間が省けて便利であるが、そのときに聴きたい楽曲が呈示されるとは限らないという問題が残る。
【００１１】
また、アーティスト等の制作側で作られた楽曲は、従来の音楽コンテンツの再生装置上の制約等の理由もあり、ユーザ側では、制作者の意図した通りに、ただ固定的に聴くのみであり、その曲調やテンポ、他の楽曲とのリミックス等をその場の気分に合うように変更することはできなかった。
【００１２】
この発明は、以上の点にかんがみ、ユーザの気分や聴取環境等に沿った、ユーザが聴取したいであろう音楽コンテンツを再生楽曲候補をとして呈示することができると共に、聴取しているユーザの嗜好や周辺環境などをリアルタイムに楽曲に反映させて、楽曲自身を再構成することができるようにすることを目的とする。
【課題を解決するための手段】
【００１３】
上記の課題を解決するために、請求項１の発明は、
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
前記音響再生出力を聴取するリスナーの生体情報を取得する手段と、
前記取得したリスナーの生体情報と、前記第２の取得手段により取得した前記属性情報とに基づいて、次の再生楽曲候補を決定する決定手段と、
を備える音楽コンテンツの再生装置を提供する。
【００１４】
また、請求項２の発明は、
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
前記音響再生出力を聴取するリスナーの生体情報を取得する手段と、
前記取得したリスナーの生体情報に基づいて、前記音響再生出力中の音楽コンテンツに対して前記リスナーが嗜好を示しているかどうかを判別する手段と、
前記リスナーが嗜好を示していると判別したときに、前記第２の取得手段により取得した前記属性情報に基づいて、前記再生対象の音楽コンテンツの属性情報の前記楽曲構成情報と似ている楽曲構成情報を含む属性情報の他の音楽コンテンツを検索して、次の再生楽曲候補とする手段と、
を備える音楽コンテンツの再生装置を提供する。
【００１５】
上述の構成の請求項１および請求項２の発明によれば、リスナーの生体情報を取得して解析することにより、リスナーは再生中の楽曲に嗜好を示しているかどうかを判別することが可能となる。そして、再生中の音楽コンテンツの楽曲素材単位の属性情報から、当該音楽コンテンツが、どのような曲調の音楽コンテンツであるかを認識することが可能となる。
【００１６】
したがって、再生装置は、例えばリスナーの生体情報からリスナーが再生中の音楽コンテンツに対して嗜好を示しているときには、当該再生中の音楽コンテンツの曲調と似ている他の音楽コンテンツを再生楽曲候補として呈示することにより、リスナーが当該時点で好んでいる曲調の音楽コンテンツを再生楽曲候補とすることができる。
【００１７】
また、再生装置は、例えばリスナーの生体情報からリスナーが再生中の音楽コンテンツに対して嗜好を示していないと判別したときには、再生中の音楽コンテンツの曲調とは異なる曲調の他の音楽コンテンツを、音楽コンテンツの属性情報を検索することにより見つけて、次の再生楽曲候補とすることができる。この場合に、過去の再生履歴や取得した周辺環境情報を参照して、次の再生楽曲候補を決定するようにするとさらに良い。
【００１８】
また、請求項１３の発明は、
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
前記音響再生出力を聴取するリスナーの生体情報を取得する手段と、
前記取得したリスナーの生体情報と、前記第２の取得手段により取得した属性情報とに基づいて、前記音響再生出力する前記再生対象の音楽コンテンツのデータを再構成する再構成手段と、
を備える音楽コンテンツの再生装置を提供する。
【００１９】
この請求項１３の発明によれば、楽曲の小節などの楽曲素材単位の属性情報が得られるので、リスナーの生体情報から、例えば再生中の楽曲にリスナーが嗜好を示しているときには、曲調を変えずに、より嗜好を高めるように、楽曲素材単位で音楽コンテンツのデータを再構成したり、また、リスナーが嗜好を示していないときには、曲調を変えるように楽曲素材単位で音楽コンテンツのデータを再構成したリすることができる。
【００２０】
また、請求項１６の発明は、
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
音楽コンテンツについての過去の再生履歴を保持する再生履歴保持部を備え、
前記再生履歴保持部から取得した前記再生履歴と、前記再生対象の音楽コンテンツについての前記属性情報とに基づいて、前記音響再生出力する前記再生対象の音楽コンテンツのデータを再構成する手段と、
を備える音楽コンテンツの再生装置を提供する。
【００２１】
この請求項１６の発明によれば、過去の再生履歴により例えば視聴頻度が高く好まれている楽曲を検出し、例えば、その楽曲の属性情報と、再生中の音楽コンテンツの属性情報とを用いて、違和感の無いように、高頻度再生履歴の楽曲データを楽曲素材単位で、再生中の音楽コンテンツのデータに加えたりして、リスナーに好まれる曲調に再生中楽曲を再構成することが可能になる。
【００２２】
また、請求項１８の発明は、
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する手段と、
周辺環境情報を取得する周辺環境情報取得手段と、
前記周辺環境情報取得手段から取得した前記周辺環境情報と、前記再生対象の音楽コンテンツについての前記属性情報とに基づいて、前記音響再生出力する前記再生対象の音楽コンテンツのデータを再構成する手段と、
を備える音楽コンテンツの再生装置を提供する。
【００２３】
この請求項１８の発明によれば、海、山、朝、昼、夜などの周辺環境情報を取得し、その周辺環境情報に適合するように、再生中の音楽コンテンツの属性情報を用いて、違和感の無いように、音楽コンテンツのデータを再構成することができるので、周辺環境に応じた曲調に再生中楽曲を再構成することが可能になる。
【発明を実施するための最良の形態】
【００２４】
以下、この発明の実施の形態を、図を参照しながら説明する。図１は、この発明の音楽コンテンツの再生装置の実施形態と、音楽コンテンツおよびその属性情報の記録装置の実施形態とが適用された記録再生装置の一例の構成を示すブロック図である。
【００２５】
この実施形態においては、記録再生装置は、音楽コンテンツ記憶部を備えるが、この音楽コンテンツ記憶部には、音楽コンテンツのデータとして楽曲の音響データの他に、映像データが含まれる場合もあることを想定して、映像音響データが記憶される。そして、この実施形態では、音楽コンテンツのデータに付随して、さらに、各楽曲についての属性情報が、各音楽コンテンツの識別情報により対応付けられて記憶される。
【００２６】
後述するように、音楽コンテンツがＤＶＤ（Ｄｉｇｉｔａｌ  Ｖｅｒｓａｔｉｌｅ  Ｄｉｓｃ）などのリムーバル（着脱可能）な記録媒体に記憶されている場合において、この属性情報が当該記録媒体に音楽コンテンツに対応付けられて記録されている場合には、その記録媒体に記録されている属性情報を用いることができる。
【００２７】
そして、ＤＶＤ等の記録媒体から、記録再生装置の記憶部に音楽コンテンツのデータを記録する際には、属性情報も、対応付けて記録するようにする。
【００２８】
記録媒体に、属性情報が記録されていない場合には、当該記録媒体から、記録再生装置の記憶部に音楽コンテンツのデータを記録する際に、記録再生装置において、必要な属性情報を生成し、当該生成した属性情報を、記録する音楽コンテンツについての映像音響データに対応付けて、記録するようにする。
【００２９】
この実施形態の記録再生装置では、音楽コンテンツの情報は、例えばインターネット上にある音楽コンテンツ提供サーバからもダウンロードすることができるように構成されている。
【００３０】
この例の場合の音楽コンテンツ提供サーバの音楽コンテンツの情報には、属性情報が付随されていることを想定しており、この実施形態の記録再生装置からの音楽コンテンツの取得要求を受け取ると、音楽コンテンツ提供サーバは、要求された音楽コンテンツの映像音響データと共に、属性情報を記録再生装置にダウンロードするようにする。
【００３１】
そこで、記録再生装置は、ダウンロードされた映像音響データと、属性情報とを、音楽コンテンツの識別情報により対応付けて、記憶部に記憶するようにする。
【００３２】
この例の記録再生装置は、マイクロコンピュータを搭載して構成されるもので、図１に示すように、ＣＰＵ（Ｃｅｎｔｒａｌ  Ｐｒｏｃｅｓｓｉｎｇ  Ｕｎｉｔ）１０に対してシステムバス１を介してプログラムＲＯＭ（Ｒｅａｄ  Ｏｎｌｙ  Ｍｅｍｏｒｙ）１１およびワークエリア用ＲＡＭ（Ｒａｎｄｏｍ  Ａｃｃｅｓｓ  Ｍｅｍｏｒｙ）が接続されている。
【００３３】
そして、システムバス１には、また、ユーザインターフェース１３と、エンコード／デコード部１４と、曲調分析部１５と、通信インターフェース１６と、再生履歴保持部１７と、光ディスクドライブ１８とが接続されている。
【００３４】
ユーザインターフェース１３は、ユーザの操作入力を受け付けるボタン操作部（図示を省略）や、例えばＬＣＤ（Ｌｉｑｕｉｄ Ｃｒｙｓｔａｌ Ｄｉｓｐｌａｙ）からなるディスプレイを含む。
【００３５】
エンコード／デコード部１４には、音楽コンテンツ記憶部２０が接続される。この例では、この音楽コンテンツ記憶部２０は、例えば大容量のハードディスク装置により構成される。なお、大容量の書き換え可能な光ディスクを用いる書き込み／読み出し装置部により、音楽コンテンツ記憶部２０を構成することもできる。
【００３６】
エンコード／デコード部１４は、この音楽コンテンツ記憶部２０を構成するハードディスク装置にデータを書き込む際に、書き込み対象のデータをハードディスク装置に記録できるフォーマットのデータにエンコード処理し、また、このハードディスク装置から読み出したデータに対して、前記エンコードに対応するデコード処理を施すものである。この場合に、エンコード処理には、データ圧縮処理を含むことができ、それに対応してデコード処理には、データ伸長処理を含むことができる。
【００３７】
この例では、音楽コンテンツのデータには、楽曲データのみではなく、音楽コンテンツに関連する映像データと、さらには、音楽コンテンツに関する属性情報（後で詳述する）が含まれている。
【００３８】
そして、音楽コンテンツ記憶部２０は、それぞれの音楽コンテンツに関して楽曲データと映像データとが記憶される映像音響データ記憶部２１と、それぞれの音楽コンテンツの属性情報が記憶される属性情報記憶部２２とからなる。映像音響データ記憶部２１の楽曲データおよび映像データと、属性情報記憶部２２の属性情報とは、音楽コンテンツごとに音楽コンテンツのそれぞれを識別する音楽コンテンツ識別情報（コンテンツＩＤ）により互いに関連付けられている。
【００３９】
楽曲解析部１５は、音楽コンテンツの楽曲データを音楽コンテンツ記憶部２０の映像音響データ記憶部２１に記憶する際に、楽曲データを解析して、楽曲の楽曲素材単位の区切りを検出すると共に、当該楽曲素材単位の楽曲構成情報を抽出する。この楽曲構成情報は、前記属性情報の一部として、属性情報記憶部２２に記録されるようにされる。楽曲解析部１５は、記録すべき音楽コンテンツの情報に属性情報が附属されていない場合にのみ動作し、抽出された楽曲構成情報が属性情報の一部として記録される。
【００４０】
ここで、楽曲素材単位とは、楽曲の拍、小節など、コードを付することができる単位である。そして、楽曲構成情報は、楽曲の楽曲素材単位のテンポ、キー、コード、音量、拍子、楽譜、コード進行などの、いわゆる曲調が決まる基準となる情報からなるものである。
【００４１】
通信インターフェース１６は、外部のネットワーク例えばインターネット２を通じて音楽コンテンツ提供サーバ装置３等に接続するために用いられるものである。この例では、音楽コンテンツ提供サーバ装置３は、楽曲データや映像データのみではなく、音楽コンテンツの属性情報も提供することができるように構成されている。
【００４２】
再生履歴記憶部１７は、当該記録再生装置において、過去に、どの楽曲をどのくらいの頻度や時間で聴いたかの履歴情報を保持する。再生された音楽コンテンツの識別情報（コンテンツＩＤ）に対応して再生回数（頻度）、その再生時間、その再生時の周辺環境情報（周辺環境情報についても後で詳述する）等が、この再生履歴記憶部１７には記憶されている。
【００４３】
光ディスクドライブ１８は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスク４から、楽曲データや映像データの読み込みを行なう。光ディスク４に音楽コンテンツについての属性情報が記録されている場合には、当該属性情報の読み込みも行なう。
【００４４】
この例の記録再生装置においては、システムバス１には、さらに、生体情報取得部３０と、周辺環境情報取得部４０と、映像音響出力部５０とが接続されている。
【００４５】
生体情報取得部３０は、生体情報センサ３１と生体情報解析部３２とからなる。生体情報センサ３１は、音楽コンテンツを視聴しているリスナーが、当該音楽コンテンツに対して嗜好を示しているか、あるいは、嗜好を示していないかなどを判別するための情報を検知する。この生体情報センサ３１は、リスナーの例えば体動、呼吸、脈、血圧、体表温度、皮膚発汗、皮膚抵抗などの生体情報を検出し、それらの生体情報を生体情報解析部３２に供給するものである。
【００４６】
例えば、リスナーが聴取している楽曲に嗜好を示しており、いわゆる「楽曲に乗っている」状態のときには、リスナーの体動や呼吸は、演奏される音楽のリズムやテンポなどと同期したものとなることがある。例えば、ゆっくりとしたメロディーを演奏するようにしたいときには、体動や呼吸は、それに合わせたゆっくりしたものとなり、また、急激に大きな音に移行するときには、それに合わせて体動が大きくなると共に、呼吸もそれに合わせて吸気から、一旦、息を止め、一気に呼気に移るなどの変化をすることがある。
【００４７】
さらに、リスナーは、気分が高揚するような音楽パートでは、脈や心拍が多くなると共に、皮膚発汗が多くなり、また、ゆったりとした音楽のパートでは脈や心拍はゆっくりと安定したものとなるなどの変化をすることがある。
【００４８】
生体情報解析部３２では、以上のような、リスナーの感情的な情報を、生体情報センサから受け取り、リスナーが聴取中の楽曲に嗜好を示しているかどうかの判別結果をシステムバス１に送出する。この場合に、生体情報解析部３２では、再生中の楽曲構成情報をも参照して、リスナーの体動などが、楽曲に同期しているかどうかも判断するようにしている。
【００４９】
そして、この実施形態では、生体情報解析部３２は、例えば体動などの生体情報に基づく嗜好の度合いについて、複数段階のスレッショールド値を持ち、例えば、「嗜好を示していない（曲に乗ってない）」、「嗜好を示しているが嗜好の程度が低い」、「非常に嗜好を示している（曲に乗っている）」のような複数段階についての判断出力を送出するように構成されている。
【００５０】
周辺環境情報取得部４０は、ＧＰＳ受信機４１と、位置情報入力インターフェース４２と、環境情報センサ４３と、環境情報生成部４４とからなる。
【００５１】
ＧＰＳ受信機４１は、複数個の人工衛星から受信した電波から当該ＧＰＳ受信機４１の位置を算出する測位演算をし、その演算結果を、位置情報入力インターフェース４２に送る。この例では、位置情報入力インターフェース４２は、ＧＰＳ受信機４１からの測位演算結果を、例えば地名などの位置情報に変換して、システムバス１に送出する。この位置情報は、当該記録が行なわれた場所を示すものとされるもので、周辺環境情報の一部として、音楽コンテンツが記録されたときに、その属性情報の一部として記録される。
【００５２】
環境情報センサ４３は、温度センサや湿度センサの他、季節や日時を検知する時計部を含んでいる。環境情報生成部４４は、環境情報センサ４３からの情報を受け取り、温度、湿度、季節、日時などの情報をシステムバス１に送出する。これらの情報も、周辺環境情報の一部として、音楽コンテンツが記録されるときに、その属性情報の一部として記録される。
【００５３】
映像・音響出力部５０は、音響データデコード部５１と、音響アレンジ部５２と、音響出力部５３と、映像データデコード部５４と、映像アレンジ部５５と、画像出力部５６と、Ｉ／Ｏポート５７とからなる。
【００５４】
音響データデコード部５１は、音声データが、非圧縮音声信号であるＰＣＭ音声信号である場合には、そのまま音響アレンジ部５２を通じて音響出力部５３に出力する。音楽データに、ＡＴＲＡＣ（Ａｄａｐｔｉｖｅ  Ｔｒａｎｓｆｏｒｍ  Ａｃｏｕｓｔｉｃ  Ｃｏｄｉｎｇ）やＡＡＣ（Ａｄｖａｎｃｅｄ  Ａｕｄｉｏ  Ｃｏｄｉｎｇ）などの圧縮がかかっている場合には、音響データデコード部５１は、当該圧縮を解凍（伸長）して、デジタル音声信号にデコードする。音声データがＭＩＤＩ（Ｍｕｓｉｃ  Ｉｎｓｔｒｕｍｅｎｔ  Ｄｉｇｉｔａｌ  Ｉｎｔｅｒｆａｃｅ）の場合には、音響データデコード部５１は、当該ＭＩＤＩのデータからデジタル音声信号を生成デコードする。
【００５５】
音響アレンジ部５２は、Ｉ／Ｏポート５７を通じてこれに供給される制御信号に応じて、特殊効果（エフェクト）処理をしたり、他の楽曲データを混合（リミックス）したりする。
【００５６】
この実施形態では、音響アレンジ部５２で行なうエフェクト処理としては、音響データに、例えば、ディストーション（Ｄｉｓｔｏｒｔｉｏｎ）をかけたり、リバーブ（Ｒｅｖｅｒｂ）をかけたりする処理がなされる。
【００５７】
リミックスは、一般的なディスクジョッキーで行なわれている手法であり、ある小節や拍単位で音楽性を損なわないように、再生中の楽曲に複数の音楽素材をミックスしていく方法である。これは、予め用意された小節の切れ目（楽曲素材単位の区切り）やテンポ情報、コード情報等の楽曲構成情報を利用して、音楽理論にしたがい、再生中の楽曲に複数の音楽素材を、違和感無くミックスしていくものである。
【００５８】
リミックスの場合には、ＣＰＵ１０の指示に従い、再生中の楽曲以外の他の楽曲から抽出されるリミックスする音響データが、音響データデコード部５１に供給される。したがって、この実施形態では、音響データデコード部５１は、再生中の音響データのデコード処理と、リミックスする音響データをデコード処理とを並行して実行することができる機能を備えている。
【００５９】
音響アレンジ部５２の出力は、音響出力部５３に供給される。音響出力部５３では、これに入力されるデジタル音声信号をアナログ音声信号に変換し、当該変換したアナログ音声信号を出力アンプ（（図示せず））を介してスピーカや、出力端子を介してヘッドホン（図示せず）に供給して、音響再生する。
【００６０】
映像データデコード部５４は、この例では、音楽コンテンツに付随する圧縮映像データをデコード（圧縮解凍（伸長））する。この場合、付随する圧縮映像データとしては、ＪＰＥＧ（Ｊｏｉｎｔ  Ｐｈｏｔｏｇｒａｐｈｉｃ  Ｅｘｐｅｒｔｓ  Ｇｒｏｕｐ）等で圧縮された静止画データ、ＭＰＥＧ（Ｍｏｖｉｎｇ  Ｐｉｃｔｕｒｅ  Ｅｘｐｅｒｔｓ  Ｇｒｏｕｐ）２、ＭＰＥＧ４等で圧縮された動画データ等があり、映像データデコード部５４は、これらの圧縮を伸長デコードする機能を備えるものである。
【００６１】
この映像データデコード部５４でデコードされた映像データは、映像アレンジ部５５に供給される。この映像アレンジ部５５では、映像データに、例えば特殊効果（エフェクト）が施される。この特殊効果としては、既存の技術を用いるもので、この実施形態では、詳細は省略する。
【００６２】
この映像アレンジ部５５の出力映像データは、映像出力部５６に供給される。映像出力部５６は、デジタル映像データをデジタル映像信号のまた、若しくは必要に応じてアナログ映像信号に変換し、映像出力端子を通じてディスプレイの画面に表示される。
【００６３】
［属性情報の説明］
この実施形態では、各音楽コンテンツの属性情報は、次に説明するような各種の情報が、各楽曲に対応して記録される。
【００６４】
（１）楽曲構成情報
この楽曲構成情報は、前述した楽曲素材単位の区切り情報を含むと共に、楽曲のテンポ／キー／コード／音量／拍子の情報、楽譜の情報、コード進行の情報、繰り返してりミックスするループ用の音楽波形の立ち上がり情報等を含む。
【００６５】
この楽曲構成情報は、楽曲の曲調を示すものであり、音楽コンテンツの記録再生装置は、この楽曲構成情報を解析して、当該楽曲構成情報が似ている楽曲は、曲調が似ていると判断することができる。したがって、再生中の楽曲に対してリスナーが嗜好を示しているときには、この楽曲構成情報の解析結果に基づき、次の再生楽曲候補として再生中の楽曲と似ている曲調の楽曲を選択することができる。
【００６６】
また、リスナーが再生中の楽曲に対して嗜好を示していないときには、例えば過去の再生履歴からリスナーが好んでいると思われる楽曲を検出し、その楽曲の属性情報を調べて、その属性情報と似ている楽曲を次の楽曲再生候補とすることにより、再生履歴に基づき、リスナーが好むと思われる楽曲と曲調が似ている楽曲を、次の楽曲再生候補することができる。
【００６７】
また、この楽曲構成情報に含まれる楽曲素材単位の区切り情報や、楽曲のテンポ等や、コード進行などの情報を用いることにより、違和感の無いリミックスが可能になる。
【００６８】
この場合、音楽コンテンツの映像音響データと属性情報とは、きっちりと対応しているようにされている。例えば、属性情報として記述されている、楽曲素材単位としての例えば小節の区切りのタイムコード情報と、実際の映像音響データの小節の区切りのタイムコードとが正確に一致しているように構成されている。
【００６９】
（２）エフェクト情報
エフェクト情報は、楽曲にかける特殊効果の情報であり、例えば前述したディストーションやリバーブ用のエフェクトパラメータからなる。この場合、エフェクトパラメータが時間的に変化する場合には、その時間変化に応じて変化するパラメータ情報となる。
【００７０】
このエフェクト情報は、この例の音楽コンテンツの記録再生装置が、予め、固定的に複数種を備えるものを用いることができる。しかし、各楽曲毎に効果的なお薦めのエフェクト情報がある場合には、属性情報の一部として含められるものである。このお薦めのエフェクト情報は、例えば、音楽コンテンツの制作者により与えられる。エフェクト情報は、１種類ではなく、複数種類を属性情報として含めることができる。
【００７１】
（３）楽器情報
楽器情報は、当該楽曲において使用されているドラム、ギター等の楽器の情報である。例えば、１小節分のドラムやパーカッションの演奏パターンを、属性情報として記録しておき、それをループ状に繰り返し用いるようにすることもできる。また、リミックス用にそれらの楽器の演奏パターン情報を用いることもできる。
【００７２】
なお、これらの１小節分のドラムやパーカッションの演奏パターンの情報は、属性情報として記録するのではなく、予め、記録再生装置がリミックス用などのために、複数パターンを備えておくようにしても良い。
【００７３】
（４）演奏者情報
演奏者情報は、当該楽曲の演奏者（歌手を含む）の名前（グループ名を含む）、性別、年齢、グループ編成など、演奏者に関する情報である。
【００７４】
（５）感性情報
感性情報は、当該楽曲を聴取したリスナーの感覚的認識を表すもので、例えば明るい曲／暗い曲、静かな曲／激しい曲、楽しい曲／悲しい曲などを定量化したデータである。この感性情報は、例えば図２に示すように、明るい／暗い、優しい／激しい、楽しい／悲しいなどのそれぞれを、予め感性軸として定義しておき、各感性軸について主観的な感覚的認識の程度を数値化したものを、リスナーにより設定してもらう等の方法で取得する。
【００７５】
例えば、明るい／暗いの感性軸の場合、図２に示すように、主観的な感覚的認識の程度を、例えば、１６段階の数値で表す。図２の例では、明るいとされる場合ほど数値が大きく、最も暗いとされる場合の数値として「０」が割り当てられている。優しい／激しい、楽しい／悲しいなどの他の感性軸についても同様とすることができる。感性軸は、これらの他にも設定することが可能である。
【００７６】
図２のように、これらの感性軸上の値が設定されると、それらの値を線で結ぶことにより、曲調に応じた形の図形（図２では三角形の形が曲調に応じて変化）が得られる。換言すれば、これらの感性軸を用いることにより、似た曲調の楽曲を容易に検索することができる。
【００７７】
この場合に、記録媒体に音楽コンテンツのデータに対応して記録する属性情報や音楽コンテンツ提供サーバから提供する属性情報の場合には、例えば数十人のリスナーに当該楽曲を聴いてもらって、各感性軸についての主観的な感覚的認識の程度の数値を報告してもらい、例えば、その平均値を各感性軸についての感性情報とするようにすることができる。
【００７８】
後述するように、記録再生装置の使用者がリスナーとして、楽曲を聴取して、この感性情報を設定入力する場合もある。また、記録媒体に記録されていた属性情報に含まれる感性情報の数値や、音楽コンテンツ提供サーバから取得した属性情報に含まれる感性情報の通知が、実際にリスナーが楽曲を聴取した結果、異なるとリスナーが感じた場合には、記録再生装置の音楽コンテンツ記憶部に記憶する属性情報の感性情報としては、リスナー自身により、その感性情報の値を書き替えることができるように構成されている。
【００７９】
（６）周辺環境情報
この周辺環境情報は、ＤＶＤの制作者や、音楽コンテンツ提供サーバからの音楽コンテンツの提供者などにより設定入力される、当該楽曲を聴くのにお薦めの場所、例えば山、海などの地域情報を含む。また、後述するように、記録再生装置での楽曲の記録時に、前述した周辺環境情報取得部４０で取得された記録（録音）された場所、日時、季節、温度、湿度などの情報とされる場合もある。また、その記録時に、リスナーにより設定入力される、当該楽曲を聴くのにお薦めの場所などの地域情報を含む。
【００８０】
（７）再生履歴情報
再生履歴情報は、リスナーが、どの楽曲を、どのくらいの頻度や時間で聴取しているかの情報であり、この実施形態では、前述したように、記録再生装置の再生履歴情報保持部１７に記憶されて保持される。この再生履歴情報は、音楽コンテンツのデータを、音楽コンテンツ記憶部２０に記憶する記録処理の際に属性情報に含められて、音楽コンテンツ記憶部２０の属性情報記憶部２２に、属性情報の一部として格納される。
【００８１】
なお、再生履歴情報は、制作者により制作されるＤＶＤや、サーバから取得する音楽コンテンツの属性情報には含まれていない。
【００８２】
［実施形態の記録再生装置における記録処理］
次に、この実施形態の記録再生装置における記録処理について説明する。この実施形態における記録処理の態様には、いくつかある。
【００８３】
その一つは、ＤＶＤに記録されている音楽コンテンツのデータを読み込み、音楽コンテンツ記憶部２０に書き込んで記録する態様である。他の一つは、インターネット２を通じて、音楽コンテンツ提供サーバ装置３から音楽コンテンツのデータをダウンロードしたものを記録する態様である。さらに、他の一つは、図示を省略したが、外部入力端子を通じて、他の再生機器などから音楽コンテンツのデータを転送し、それを音楽コンテンツ記憶部２０に記録する態様である。
【００８４】
これらの態様において、音楽コンテンツのデータに属性情報が含まれている場合には、この実施形態の記録再生装置は、音楽コンテンツについての映像音響データに加えて、その属性情報をも読み込み、音楽コンテンツ記憶部２０に書き込むようにする。この実施形態の記録再生装置では、この記録の際に、ユーザが属性情報を追加、変更がしたい場合には、その追加、変更ができるように構成されている。
【００８５】
また、音楽コンテンツのデータには、映像音響データのみしかなく、属性情報が含まれていない場合には、この実施形態の記録再生装置では、記録再生装置において属性情報を生成（設定）して、音楽コンテンツ記憶部２０の属性情報記憶部２２に記憶するようにする。
【００８６】
すなわち、曲調分析部１５でＤＶＤやダウンロードした音響データ、また、外部入力端子を通じて入力された音響データを解析して、楽曲構成情報を取得して、それを属性情報の一部として記録する。また、ユーザは、自分が当該楽曲を実際に聴取した主観的な感覚的程度値の感性情報として、前述したような１６段階のいずれかの数値を入力する。そして、この感性情報を属性情報の一部として記録する。さらに、周辺環境取得部４０で取得した周辺環境情報も属性情報の一部として記録する。さらには、再生履歴情報も必要に応じて属性情報として記録するようにする。
【００８７】
なお、この実施形態では、インターネット２上に、音楽コンテンツの識別情報に対応して属性情報を格納する属性情報提供サーバ装置を設けて、このサーバ装置に、音楽コンテンツの識別情報を伴うダウンロード要求を送って、当該音楽コンテンツの識別情報に対応する属性情報の提供を受けるようにすることも想定している。
【００８８】
図３および図４は、音楽コンテンツ提供サーバ装置３から音楽コンテンツおよび属性情報を取得する場合における記録再生装置と音楽コンテンツ提供サーバ装置３の動作のフローチャートである。
【００８９】
なお、ここでは、記録再生装置が音楽コンテンツ提供サーバ装置３から音楽コンテンツのデータと、これに付随する属性情報との提供を受ける場合を例にして説明するが、基本的には、異なる複数台の記録再生装置間で属性情報の送受を行う場合においても、ほぼ同様の処理となる。
【００９０】
図３は、音楽コンテンツのデータとこれに付随する属性情報の提供を要求する記録再生装置の処理を、また、図４は、音楽コンテンツのデータとこれに付随する属性情報を提供する音楽コンテンツ提供サーバ装置３の処理を、それぞれ説明するためのフローチャートである。
【００９１】
記録再生装置に対して、音楽コンテンツデータとこれに対する属性情報との提供の要求を行うためのプログラムを起動する所定の操作が行われると、記録再生装置のＣＰＵ１０は、図３に示す処理を実行し、まず、ダウンロードする音楽コンテンツの選択入力を受け付ける（ステップＳ１１）。
【００９２】
そして、受け付けた選択入力に基づいて、ダウンロードを要求する音楽コンテンツの識別子を含む音楽コンテンツの提供要求を生成し、これを通信インターフェース１６、インターネット２を通じて、音楽コンテンツ提供サーバ装置３に送信する（ステップＳ１２）。
【００９３】
一方、音楽コンテンツ提供サーバ装置３の制御部（ＣＰＵ）は、常時、図４に示す処理を実行しており、インターネット２および自装置が備える通信インターフェースを通じて、記録再生装置からの音楽コンテンツの提供要求を受信待ちするようにし（ステップＳ２１）、提供要求を受信したか否かを判断する（ステップＳ２２）。ステップＳ２２において、音楽コンテンツの提供要求を受信していないと判断したときには、ステップＳ２１からの処理を繰り返し、音楽コンテンツの提供要求の受信待ちとなる。
【００９４】
ステップＳ２２の判断処理において、音楽コンテンツ提供サーバ装置３の制御部が、記録再生装置からの音楽コンテンツの提供要求を受信したと判断したときには、サーバ装置３の制御部は、受信した提供要求に含まれる音楽コンテンツの識別子に基づいて、自装置３に記憶されている音楽コンテンツの中から、目的とする音楽コンテンツのデータとこれに対する属性情報とを検索する（ステップＳ２３）。
【００９５】
そして、音楽コンテンツ提供サーバ装置３の制御部は、目的とする音楽コンテンツのデータが存在するか否かを判断し（ステップＳ２４）、存在すると判断したときには、要求元の記録再生装置に、通信インターフェースおよびインターネット２を通じて送信する（ステップＳ２５）。そして、ステップＳ２１に戻って、このステップＳ２１からの処理を繰り返す。
【００９６】
また、ステップＳ２４の判断処理において、目的とする音楽コンテンツのデータが存在しないと判断したときには、音楽コンテンツ提供サーバ装置３の制御部は、その旨を示す応答メッセージを生成し、要求元の記録再生装置に対して、通信インターフェースおよびインターネット２を通じて返信する（ステップＳ２６）。そして、ステップＳ２１に戻り、このステップＳ２１からの処理を繰り返す。
【００９７】
一方、要求元の記録再生装置は、音楽コンテンツ提供サーバ装置３からの応答（返信）を通信インターフェース１６を通じて受信し（ステップＳ１３）、受信した応答に基づいて、要求した音楽コンテンツのデータが送信されてきたか否かを判断する（ステップＳ１４）。このステップＳ１４の判断処理において、要求した音楽コンテンツのデータを受信したと判断したときには、その受信した音楽コンテンツのデータと、当該音楽コンテンツのデータに付随して提供された属性情報とを音楽コンテンツ記憶部に記録（格納）し（ステップＳ１５）、この図３に示す処理を終了する。
【００９８】
また、ステップＳ１４の判断処理において、要求した音楽コンテンツのデータを受信していない（対応する音楽コンテンツのデータが存在しないことのメッセージを受信した）と判断したときには、記録再生装置の制御部は、図１には図示しなかったが、自装置が備えるＬＣＤ（Ｌｉｑｕｉｄ  Ｃｒｙｓｔａｌ  Ｄｉｓｐｌａｙ）などの表示素子やＬＥＤ（Ｌｉｇｈｔ Ｅｍｉｔｔｉｎｇ Ｄｉｏｄｅ）などの発光素子、あるいは、ブザーやアラームなどを用いて、目的とする音楽コンテンツのデータが存在しなかったことを記録再生装置のユーザに対して通知し（ステップＳ１６）、この図３に示す処理を終了する。
【００９９】
以上のようにして、この実施形態では、記録再生装置は、目的とする音楽コンテンツのデータの提供を受ける際に、この音楽コンテンツのデータに付随して提供される属性情報の提供をも受けることができるようにされている。そして、提供を受けた音楽コンテンツのデータ、および、当該音楽コンテンツのデータに対する属性情報を音楽コンテンツ記憶部２０に記憶して再生時に利用することができるようにされる。
【０１００】
なお、音楽コンテンツに属性情報が付随していないときには、上述したように、曲調分析部１５で解析して得られた楽曲構成情報や、周辺環境情報取得部で取得された周辺環境情報などから属性情報が構成されて、それが音楽コンテンツ記憶部２０に音楽コンテンツの映像音響データと対応付けられて記憶される。
【０１０１】
図５は、この実施形態の記録再生装置の音楽コンテンツ記憶部２０の一例としてのハードディスク装置の概念的な構成を説明するための図である。すなわち、音楽コンテンツ記憶部２０としてのハードディスク装置２０ＨＤは、音楽コンテンツの映像データや音響データ等の映像音響データＤｔの領域２３と、その属性情報Ａｔの領域２４とを備え、領域２３は映像音響データ記憶部２１を構成し、領域２４は属性情報記憶部２２を構成する。
【０１０２】
この実施形態では、音楽コンテンツ記憶部２０は、ハードディスク装置により構成したが、リム−バル（着脱可能）の記録メディアとしてのＤＶＤ等のディスク媒体を音楽コンテンツ記憶部として用いることもできる。図６は、その場合における音楽コンテンツ記憶部２０の他の例としてのディスク媒体（例えば光磁気ディスク等の記録再生可能なもの）２０ＲＤの一例を説明するための図である。
【０１０３】
この図６に示すように、音声コンテンツデータや映像コンテンツデータなどのコンテンツデータ（映像音響データ）Ｄｔが光ディスク２０ＲＤのデータ格納領域に格納されている。そして、図６に示すように、光ディスク２０ＲＤには、光ディスクに通常設けられるリードインアリア、ＴＯＣ（Ｔａｂｌｅ  Ｏｆ  Ｃｏｎｔｅｎｔｓ）エリア、リードアウトエリアのほかに、コンテンツ属性情報Ａｔの格納エリアが設けられ、ここに属性情報が格納されるようにされている。コンテンツデータＤｔが、複数の楽曲のデータを含む場合には、それぞれの楽曲についての属性情報が記録される。この場合、コンテンツデータＤｔと属性情報Ａｔとは、前述したように音楽コンテンツ識別情報（音楽コンテンツＩＤ）によって対応付けられている。
【０１０４】
なお、光ディスク２０ＲＤは、音楽コンテンツの制作者等により音楽コンテンツデータが記録されて市販されるものの他、例えば、一般ユーザが、パーソナルコンピュータなどを用いて、インターネットからダウンロードした音楽コンテンツを記録するなどして作成する場合もある。
【０１０５】
なお、図５、図６に示したように、記録媒体に記録される属性情報Ａｔは、記録再生装置においてユーザが任意に内容を書き換えたり、追加したり、削除したり、あるいは、既存の属性情報を新たな属性情報に置き換えたりすることも可能である。例えば、属性情報中に楽曲素材単位の区切り情報を追加する場合には、記録再生装置において、目的とする音楽コンテンツデータを自動解析することにより、新たな楽曲素材単位の区切り情報を自動生成したり、ユーザインターフェース１３を通じてユーザにより入力された区切り情報を追加したりすることが可能である。
【０１０６】
また、ユーザインターフェース１３を通じてユーザからの変更指示入力を受け付けて、音楽コンテンツ記憶部２０に記録されている属性情報を変更したり、同様に、ユーザインターフェース１３を通じてユーザからの変更指示入力を受け付けて、音楽コンテンツ記憶部２０に記録されている属性情報を削除したり、また、既に記録されている属性情報を、上述のように新たに生成したり、入力したりした属性情報で置き換えたりすることもできるようにされる。
【０１０７】
また、新たな属性情報を、インターネット２と通信インターフェース１５とを通じて提供を受けたり、あるいは、ＵＳＢ（Ｕｎｉｖｅｒｓａｌ  Ｓｅｒｉａｌ  Ｂｕｓ）インターフェースなどのデジタルインターフェースに接続される他の記録再生装置等の外部機器から提供を受けたり、また、無線インターフェースと送受信アンテナを通じて無線ＬＡＮ経由で提供を受けたりして、これを追加や置き換えに用いることも可能である。
【０１０８】
もちろん、上述したいずれの場合においても、音楽コンテンツの識別子によって、音楽コンテンツデータと属性情報とは必ず対応するようにされ、どの属性情報がどの音楽コンテンツデータに付随するものであるかは明確にされる。
【０１０９】
そして、以上のように、音楽コンテンツには、属性情報を付随させるようにすることにより、音楽コンテンツのデータの流通に伴い、その属性情報をも流通させ、音楽コンテンツデータの利用に合わせて、その属性情報を有効に活用し、新たな利用態様で音楽コンテンツデータを利用できるようにすることができる。
【０１１０】
なお、光ディスクドライブ１８で読み込みを行なう光ディスク４が、音楽コンテンツデータとして属性情報を付随している場合には、図６に示した光ディスク２０ＲＤと同様の構成を備えるものである。
【０１１１】
次に、図１の実施形態の記録再生装置における記録処理動作の一例を、図を参照して説明する。図７は、この実施形態の記録再生装置のうちの記録処理部分を機能的に抽出して表したブロック図である。また、図８および図９は、その記録処理動作の一例を説明するためのフローチャートである。
【０１１２】
図７に示すように、記録再生装置は、記録の機能的には、２つの要素から構成される。一つは、複数個の音楽コンテンツが記憶保持されている音楽コンテンツ記憶部２０であり、もう一つは音楽コンテンツの記録をする記録部１００である。音楽コンテンツ記憶部２０については、上述した通りであるので、ここでは、説明を省略する。記録部１００は、音楽コンテンツデータおよび属性情報の記録処理を行なう部分である。以下、この記録部２０の構成について説明する。
【０１１３】
記録部１００は、この例では、入力された音楽コンテンツのデータ（映像音響データ）と、属性情報とを対応付けて音楽コンテンツ記憶部２０に記憶する。この場合に、音楽コンテンツに対応する属性情報が入力される場合には、それをそのまま、あるいは、一部変更したり、追加したりして、音楽コンテンツ記憶部２０の属性情報記憶部２２に記憶するようにする。
【０１１４】
しかし、属性情報が音楽コンテンツに付随していない場合には、記録部１００では、属性情報を生成して、音楽コンテンツのデータに付与して、音楽コンテンツ記憶部２０の属性情報記憶部２２に格納するようにする機能を備える。
【０１１５】
この実施形態では、音楽コンテンツのデータに対する属性情報の付与方法としては、最終的には付与するユーザが主観的な判断で付与を行なうようにする。もっとも、属性情報の一部の情報は、記録再生装置が自動的に生の映像音響データから計算して付与することもできる。すなわち、属性情報の一部である楽曲構成情報のテンポ情報や、記録再生装置の存在する場所や周辺環境情報等は、自動的に算出して、自動的に付加することもできる。しかし、この例では、記録再生装置は、あくまで楽曲構成情報や周辺環境情報を取得するのみで、最終的に、音楽コンテンツに付与する属性情報について、それが最適かどうかはユーザが決定するようにしている。
【０１１６】
記録部１００は、図７に示すように、前述したユーザインターフェース１３と、曲調分析部１５と、再生履歴保持部１７と、周辺環境情報取得部４０とを含むほか、機能的な処理部として、音楽コンテンツ記録指示制御部１０１と、音楽コンテンツデータ保持部１０２と、映像音響データ記録設定部１０３と、属性情報記録設定部１０４と、エンコード部１０５と、楽曲構成情報取得部１０６とを備える。
【０１１７】
音楽コンテンツ記録指示制御部１０１は、ユーザインターフェース１３を通じたユーザ指示に従って、音楽コンテンツの記録指示制御を行なう部分であって、ＣＰＵ１０が、ＲＯＭ１１に記憶されている記録のためのプログラムに基づいて、ＲＡＭ１２をワークエリアとして用いて実行する部分に相当する。
【０１１８】
音楽コンテンツデータ保持部１０２は、これから記録すべき音楽コンテンツの映像音響データや、付随する属性情報もあれば、当該属性情報を保持する部分である。
【０１１９】
これは、記録しようとする音楽コンテンツのソースが光ディスクドライブ１８で読み込まれる光ディスク４である場合には、当該光ディスク４および光ディスクドライブ１８の部分に相当する。
【０１２０】
また、記録しようとする音楽コンテンツのソースが、インターネット２を通じた音楽コンテンツ提供サーバ装置３である場合には、通信インターフェース１６を通じて取り込まれた音楽コンテンツデータを一時的に蓄えるバッファメモリなどが、音楽コンテンツデータ保持部１０２に相当する。
【０１２１】
エンコード部１０５は、エンコード／デコード部１４のエンコード部分のみの機能を抽出したものに相当する。
【０１２２】
映像音響データ記録設定部１０３は、エンコード部１０５に送り込む映像音響データを保持するものであり、ＲＡＭ１２の一部のエリアが利用される。
【０１２３】
属性情報記録設定部１０４は、エンコーダ回路に送り込む属性情報のデータを保持するものであり、これもＲＡＭ１２の一部のエリアが利用される。
【０１２４】
楽曲構成情報取得部１０６は、音楽コンテンツデータに属性情報が付随していない場合に、記録しようとする音楽コンテンツに対応する属性情報を取得する機能部である。これは、例えば、前述したように、インターネットを通じて、属性情報提供サーバ装置に音楽コンテンツＩＤを検索子としてアクセスして、当該音楽コンテンツＩＤに対応する属性情報を取得する機能部や、他の記録再生装置などから、当該音楽コンテンツに対応する属性情報を取得する機能部などにより構成される。
【０１２５】
次に、図８および図９のフローチャートを参照しながら、記録処理動作について説明する。なお、この図８および図９の各処理ステップは、ＣＰＵ１０がＲＯＭ１１のプログラムにしたがって、ＲＡＭ１２をワークエリアとして用いて実行するものである。
【０１２６】
記録に先立ち、ユーザは、音楽コンテンツとして記録したい楽曲のデータを用意し、音楽コンテンツデータ保持部１０２に保存しておく。属性情報が付随されている場合には、音楽コンテンツデータ保持部１０２には、当該音楽コンテンツとしての楽曲の属性情報も保存される。音楽コンテンツデータ保持部１０２は、属性情報が当該記録したい楽曲に付随しているかどうかを、音楽コンテンツ記録指示制御部１０１に報告する。これにより、音楽コンテンツ記録指示制御部１０１は、記録すべき音楽コンテンツに属性情報が付随しているかどうかを予め認識している。
【０１２７】
次に、ユーザが、ユーザインターフェース１３の操作部を通じて記録指示をすると、音楽コンテンツ記録指示制御部１０１は、指定された楽曲の記録指示を認識する（図８のステップＳ３１）。音楽コンテンツ記録指示制御部１０１は、この記録指示を認識すると、指定された楽曲には、属性情報が付随しているかどうかを判別し（ステップＳ３２）、属性情報が付随していると判別したときには、属性情報記録設定部１０４に、音楽コンテンツに付随する属性情報を記録するようにする記録指示を送る（ステップＳ３３）。
【０１２８】
音楽コンテンツ記録指示制御部１０１は、また、音楽コンテンツデータ保持部１０２に、保持している記録対象の音楽コンテンツの映像音響データを映像音響データ記録設定部１０３に送出するようにすると共に、対応する属性情報を属性情報記録設定部１０４に送出するように指示する（ステップＳ３４）。この指示を受けた音楽コンテンツデータ保持部１０２は、記録対象の音楽コンテンツの映像音響データを、その音楽コンテンツＩＤと共に映像音響データ記録設定部１０３に送ると共に、対応する属性情報を、その音楽コンテンツＩＤと共に属性情報記録設定部１０４に送る。
【０１２９】
属性情報記録設定部１０４は、音楽コンテンツデータ保持部１０２からの属性情報（音楽コンテンツＩＤを含む）を受け取ると、記録すべき属性情報の仮リストを作成し（ステップＳ３５）、当該作成した属性情報の仮リストを、例えばユーザインターフェース１３のディスプレイに表示する等して、ユーザに呈示する（ステップＳ３６）。
【０１３０】
この記録すべき属性情報の仮リストの呈示を受けたユーザは、属性情報について修正や追加が必要だと判断したときには、ユーザインターフェース１３の操作部を通じて所定の操作を行ない、そのままの属性情報と良いとしたときには、ユーザインターフェース１３の決定キーなどを操作して、その旨を入力する。
【０１３１】
音楽コンテンツ記録指示制御部１０１は、ユーザから属性情報についての修正指示や追加指示があったかどうか判別し（ステップＳ３７）、修正指示や追加指示があったと判別したときには、その旨を属性情報記録設定部１０４に伝える。この修正指示や追加指示を受けた属性情報記録設定部１０４は、ユーザインターフェース１３を通じた修正指示内容や追加指示内容に応じて、属性情報の修正や追加を行なう（ステップＳ３８）。
【０１３２】
属性情報の修正や追加後、あるいは、属性情報の修正や追加無しに、ユーザが当該属性情報についてＯＫという意味で決定キーを操作すると、音楽コンテンツ記録指示制御部１０１は、そのユーザの属性情報についての決定入力を検知し（ステップＳ３９）、エンコード部１０５に、映像音響データ記録設定部１０３からの映像音響データと、属性情報記録設定部１０４からの属性情報とを受け取るように指示すると共に、受け取った情報をエンコードするように指示する。エンコード部１０５は、この指示を受けると、映像音響データと属性情報とを受け取って、音楽コンテンツ記憶部２０に記憶するためのエンコード処理を実行する（ステップＳ４０）。
【０１３３】
そして、エンコード部１０５は、エンコードした映像音響データを、映像音響データ記憶部２１に書き込むと共に、エンコードした属性情報を、属性情報記憶部２２に書き込む（ステップＳ４１）。以上で、記録処理は終了となる。
【０１３４】
一方、ステップＳ３２で、属性情報が音楽コンテンツに付随してはいないと判別したときには、音楽コンテンツ記録指示制御部１０１は、属性情報記録設定部１０４に、音楽コンテンツの属性情報を自装置で生成して記録するようにする指示を送る（図９のステップＳ５１）。
【０１３５】
音楽コンテンツ記録指示制御部１０１は、また、音楽コンテンツデータ保持部１０２に、保持している記録対象の音楽コンテンツの映像音響データを映像音響データ記録設定部１０３と、曲調分析部１５に送出するように指示する（ステップＳ５２）。この指示を受けた音楽コンテンツデータ保持部１０２は、記録対象の音楽コンテンツの映像音響データをその音楽コンテンツＩＤと共に映像音響データ記録設定部１０３に送ると共に、当該音楽コンテンツの音響データを曲調分析部１５に送出する。
【０１３６】
音楽コンテンツデータ保持部１０２からの音響データを受け取った曲調分析部１５は、その音響データを分析して、楽曲素材単位のテンポ、キー、コード等の楽曲構成情報を抽出する（ステップＳ５３）。
【０１３７】
属性情報記録設定部１０４は、音楽コンテンツ記録指示制御部１０１からの自装置で属性情報を生成する旨の指示を受け取ると、指定された楽曲についての再生履歴が再生履歴情報保持部１７に保持されているか否か判別し、保持されていれば、その再生履歴を属性情報の一部とするために取得する（ステップＳ５４）。なお、再生履歴情報がなければ、属性情報としての再生履歴情報は無しを意味する「ｎｕｌｌ」とされる。
【０１３８】
また、属性情報記録設定部１０４は、記録対象の楽曲を聴取したユーザからユーザインターフェース１３を通じて入力される当該楽曲についての明るい／暗い、激しい／優しい、楽しい／悲しいなどの感性情報の数値入力（例えば前述の１６段階の数値）を受け付けて、属性情報の一部とする（ステップＳ５５）。
【０１３９】
さらに、属性情報記録設定部１０４は、曲調分析部１５で分析されて抽出された楽曲構成情報を、曲調分析部１５から取得して、属性情報の一部とする（ステップＳ５６）。また、さらに、属性情報記録設定部１０４は、周辺環境情報取得部４０から周辺環境情報を取得して、当該周辺環境情報を属性情報の一部とする（ステップＳ５７）。
【０１４０】
次に、属性情報記録設定部１０４は、ステップＳ５４〜ステップＳ５７で取得した情報に基づいて、記録すべき属性情報の仮リストを作成し（ステップＳ５８）、当該作成した属性情報の仮リストを、例えばユーザインターフェース１３のディスプレイに表示する等して、ユーザに呈示する（ステップＳ３６）。
【０１４１】
この記録すべき属性情報の仮リストの呈示を受けたユーザは、属性情報について修正や追加が必要だと判断したときには、ユーザインターフェース１３の操作部を通じて所定の操作を行ない、そのままの属性情報と良いとしたときには、ユーザインターフェース１３の決定キーなどを操作して、その旨を入力する。
【０１４２】
音楽コンテンツ記録指示制御部１０１は、ユーザから属性情報についての修正指示や追加指示があったかどうか判別し（ステップＳ３７）、修正指示や追加指示があったと判別したときには、その旨を属性情報記録設定部１０４に伝える。この修正指示や追加指示を受けた属性情報記録設定部１０４は、ユーザインターフェース１３を通じた修正指示内容や追加指示内容に応じて、属性情報の修正や追加を行なう（ステップＳ３８）。
【０１４３】
属性情報の修正や追加後、あるいは、属性情報の修正や追加無しに、ユーザが当該属性情報についてＯＫという意味で決定キーを操作すると、音楽コンテンツ記録指示制御部１０１は、そのユーザの属性情報についての決定入力を検知し（ステップＳ３９）、エンコード部１０５に、映像音響データ記録設定部１０３からの映像音響データと、属性情報記録設定部１０４からの属性情報とを受け取るように指示すると共に、受け取った情報をエンコードするように指示する。エンコード部１０５は、この指示を受けると、映像音響データと属性情報とを受け取って、音楽コンテンツ記憶部２０に記憶するためのエンコード処理を実行する（ステップＳ４０）。
【０１４４】
そして、エンコード部１０５は、エンコードした映像音響データを、映像音響データ記憶部２１に書き込むと共に、エンコードした属性情報を、属性情報記憶部２２に書き込む（ステップＳ４１）。以上で、記録処理は終了となる。
【０１４５】
なお、以上の実施形態では、属性情報の楽曲構成情報が音楽コンテンツに付随していないときには、曲調分析部１５で楽曲構成情報を抽出するようにしたが、予め楽曲の曲調が譜面情報や制作者の情報によりわかっている場合には、曲調分析する必要は無く、ユーザがこの譜面情報に基づくテンポ、キー、コード等の楽曲構成情報を属性情報として入力することもできる。
【０１４６】
また、インターネット２などのネットワークを通じて楽曲構成情報が取得可能な場合には、属性情報記録設定部１０４は、楽曲構成情報取得部１０６を通じて楽曲構成情報を取得して、属性情報の一部とするようにすることもできる。
【０１４７】
この実施形態の記録再生装置では、楽曲の再生を繰り返すと、再生履歴情報保持部１７に、過去のユーザの再生履歴情報が蓄積されてくる。よく聴く曲はリスナーの嗜好度が高く、逆に再生時間が短い曲はリスナーの嗜好度が低いことが多い。そこで、この楽曲毎の再生頻度・再生時間情報が更新される度に、各楽曲の音楽コンテンツの属性エリアに追記していく。
【０１４８】
また、属性情報とされて、音楽コンテンツ記憶部２０の属性情報記憶部２２に記憶された再生履歴情報は、音楽コンテンツの記録時のみではなく、対応する楽曲が再生されて、再生履歴情報保持部１７の再生履歴が更新されるときに、同時に、属性情報記憶部２２の対応する楽曲の属性情報の再生履歴情報も更新されるようにされている。
【０１４９】
よく聴く曲はリスナーの嗜好度が高く、逆に再生時間が短い曲はリスナーの嗜好度が低いことが多いので、この再生履歴情報を参照することにより、リスナーが嗜好する楽曲を検知することができると共に、その嗜好度の高い楽曲の曲調は、リスナーの嗜好度が高い曲調と判定することができる。そこで、この楽曲毎の再生頻度や再生時間情報が更新される度に、各楽曲の属性情報記憶部の再生履歴情報を追記しておくことにより、この属性情報の再生履歴情報および楽曲構成情報を参照することで、リスナーに好まれている楽曲およびその曲調を判定して、再生時の楽曲の再構成に利用することができる。
【０１５０】
［実施形態の記録再生装置における再生処理］
次に、実施形態の記録再生装置における再生処理について説明する。この実施形態では、再生処理のポイントとしては２点ある。
【０１５１】
一つは、再生スタート操作をするだけで、ユーザが嗜好するであろう楽曲を順次に装置が選択して、ユーザに呈示する機能を装置が備える点である。この場合、ユーザは、最初の曲を選択し、連続再生スタート操作をユーザインターフェース１３の操作部を通じて入力する。すると、この実施形態の記録再生装置は、その最初に選択された楽曲にユーザが嗜好を示しているかどうか、ユーザ（リスナー）から取得した生体情報に基づいて判別し、嗜好を示していれば、最初に選ばれた楽曲に曲調が似ている楽曲を次の楽曲再生候補とする。
【０１５２】
この場合において、楽曲聴取者であるユーザ（リスナー）の生体情報を取得して、例えば、音楽に乗っているときの頭部や足等の体の動きや脈拍等から、その時々のリスナーの嗜好度を判定するようにする。
【０１５３】
リスナーが聴取中の楽曲に嗜好を示していないと判別したときには、例えば再生履歴情報に基づいて、リスナーが好んでいると考えられる楽曲を選択し、当該選択された楽曲に曲調が似ている楽曲を次の楽曲再生候補とする。あるいは、リスナーの周辺環境情報を取得し、当該取得した周辺環境情報に合致する楽曲を、属性情報を参照することにより検索し、検索結果の楽曲および当該楽曲に似ている曲調の楽曲を次の楽曲再生候補とするようにする。
【０１５４】
そして、２番目以降の楽曲の聴取しているときにも、リスナーから取得した生体情報に基づいて、当該聴取中の楽曲に嗜好を示しているかを常時判定して、上述と同様の処理を行ない、次の楽曲再生候補を更新してゆくようにする。これにより、この実施形態によれば、リアルタイムで、次の楽曲再生候補を更新しながらユーザに呈示することができるという効果がある。
【０１５５】
従来の楽曲再生装置では、例えば数百曲以上の楽曲データを内蔵記憶部に記憶しているときに、自動再生モードでは、アルバム単位や、記録された順、乱数によるランダムな順序での再生が行なわれているが、特にユーザ（リスナー）の嗜好を考慮して、再生順序が決定されるものは無い。
【０１５６】
また、いわゆるプレイリスト（再生楽曲候補のリスト）をユーザ側で作成して、その順序で再生するという例もあるが、この方法の場合には、ユーザ側で、いちいちプレイリストを作成する必要があり、手間がかかるものである。さらに、内蔵記憶部に保存される楽曲が増加するごとに、当該プレイリストを手直し必要があるという問題もあった。そして、この方法も、ユーザの嗜好を積極的に考慮しているわけではないという問題もあった。
【０１５７】
これに対して、この実施形態では、再生装置側が過去のユーザの再生履歴情報やユーザからリアルタイムに入力される生体情報等、さらには、再生装置が存在する地理的な情報等から、現在再生されている楽曲の属性情報と照らし合わせて嗜好度の予測を行ない、その場のユーザの状態において最も聴きたいと思われる楽曲を提供するものである。
【０１５８】
すなわち、音楽コンテンツの再生方法に関して、楽曲の属性情報と、リスナーの生体情報や、再生履歴情報、周辺環境情報を用いて、その時々のリスナーの嗜好に最適と思われる楽曲の候補を動的に選択し、それを再生提示するようにするものである。
【０１５９】
例えば、過去によく聴いた楽曲のコード進行やテンポに近い楽曲を、属性情報記憶部２２に記憶されている多数の楽曲の属性情報から探索して、それを再生したり、現在聴いている楽曲でリスナーがリラックスしていると思われる生体情報が取得できた場合には、その構成に近い楽曲を、前記属性情報から探索して、それを再生したりするものである。すなわち、この実施形態では、楽曲の属性情報を利用してリスナーの嗜好に合う楽曲を動的に提示するものである。
【０１６０】
また、上述したように、この実施形態では、属性情報として、リスナーがどう感じるかの楽曲の感性情報（例えば暗い/明るい曲）、ユーザが何回この楽曲を再生したか等の再生履歴情報や演奏者や楽器に関する情報、どこで録音されたものか・どこで聴くと良いかの地理情報等の周辺環境情報等も記録されている。これらの情報を、必要に応じて再生側で利用することにより、多数の音楽コンテンツの中から、よりユーザの好みに合うものを抽出することができる。
【０１６１】
この実施形態の記録再生装置における二つ目の再生処理のポイントは、聴取中の楽曲に対して、その属性情報中の特に楽曲構成情報に基づいて、楽曲素材単位で、リミックスしたり、エフェクトをかけたりして、楽曲を再構成するようにする機能を備える点である。
【０１６２】
すなわち、リスナーのその時の気分に応じて、ディスクジョッキーのようにリミックスする等して複数曲を同時に再生したり、あるいは楽曲そのもののテンポやキー等の曲調を変更したりして、聴取中の楽曲を動的に再構成するものである。この動的な再構成のために、この実施形態では、楽曲データに、前述のような属性情報、特に楽曲構成情報を付随させて、リスナーが置かれた雰囲気に合うように楽曲を動的に再構成しながら再生・合成するものである。再構成は、あくまでリスナーがより楽しくなるように、再生される楽曲に変化を与えるものであり、新たな楽曲の楽しみ方をリスナーに提案するものである。
【０１６３】
前述したような属性情報は、音楽性を損なわずに楽曲を再構成再生することができるようにすることを目的としたものである。一般に、音楽（楽曲）は、小節、拍等で区切られており、更に、それらの区切りごとにコードが決められているので、音楽理論に従えば、例えば小節毎に別の音楽素材を組み合わせていっても音楽性を損なわずに曲調を変更することができる。これは、一般に、ディスクジョッキー等で行なわれているリミックスと呼ばれる手法である。
【０１６４】
以上のことを考慮して、この実施形態では、前述したように、特に楽曲を再構成するに必要な楽曲の構成情報を映像音響データに予め付帯させて属性情報として記録しておくものである。すなわち、前述した、テンポ、キー、コード、音量、拍子等の楽曲素材単位の楽曲構成情報である。
【０１６５】
ただし、やみくもに再構成する訳ではない。例えば、リスナーからの生体情報を再生装置にフィードバックして、リスナーの視聴状態を動的に把握し、また、記録再生装置が置かれている（存在する）場所の周辺環境情報を動的に把握し、その場に適した楽曲をその属性情報から再合成し、リスナーに提供するものである。
【０１６６】
以下に説明するように、この実施形態では、リスナーが嗜好を示しているときにのみ楽曲を再構成するようにして、よりリスナー好まれるようにするようにしている。しかし、リスナーが嗜好を示していないときにも、楽曲を再構成して、リスナーに再構成後の楽曲を呈示することで、リスナーに嗜好を喚起させるようにしても勿論よい。
【０１６７】
この聴取中の楽曲の再構成の際にも、リスナーの生体情報を再生装置にフィードバックしたり、再生履歴情報を参照したり、周辺環境情報を参照したりして、再構成のためにリミックスする楽曲を選択したり、エフェクトを選択したりするようにしても勿論よい。さらには、属性情報中にお薦めのエフェクト情報があれば、それを使用することも勿論できる。
【０１６８】
次に、以上の再生処理の詳細処理動作例を、図を参照して説明する。図１０は、この実施形態の記録再生装置のうちの再生処理部分を機能的に抽出して表したブロック図である。また、図１１および図１２は、その再生処理動作の一例を説明するためのフローチャートである。
【０１６９】
図１０に示すように、この実施形態の記録再生装置の再生処理部も、前述した記録処理部と同様に、２つの構成要素からなる。一つは、複数個の音楽コンテンツが記録保持されている音楽コンテンツ記憶部２０であり、もう一つは、音楽コンテンツの再生を行なう再生部２００である。音楽コンテンツ記憶部２０は、前述した通りであるので、ここでは、再生部２００について説明する。
【０１７０】
再生部２００は、図１０に示すように、ユーザインターフェース１３と、再生履歴情報保持部１７と、生体情報取得部３０と、周辺環境情報取得部４０と、音響出力部５３と、映像出力部５６とを含むと共に、機能的な処理部として、映像音響データ選択判断制御部２０１と、デコード部２０２と、属性情報取得部２０３と、映像音響データ取得部２０４と、映像音響データデコード部２０５と、ミキサーおよびエフェクト処理部２０６とを備える。
【０１７１】
映像音響データ選択判断制御部２０１は、ユーザインターフェース１３を通じたユーザ指示に従って、再生対象の音楽コンテンツを選択し、その再生制御を行なう部分であって、ＣＰＵ１０が、ＲＯＭ１１に記憶されている記録のためのプログラムに基づいて、ＲＡＭ１２をワークエリアとして用いて実行する部分に相当する。
【０１７２】
デコード部２０２は、映像音響データ選択判断制御部２０１からの音楽コンテンツの選択指示にしたがって、音楽コンテンツ記憶部２０から映像音響データおよび属性情報を取得して、圧縮されているデータを伸長デコード処理するもので、エンコード／デコード部１４のデコード部に相当する。
【０１７３】
そして、デコード部２０１は、音楽コンテンツ記憶部２０から読み出して伸長デコードした属性情報は、属性情報取得部２０３に渡すと共に、音楽コンテンツ記憶部２０から読み出して伸長デコードした映像音響データは、映像音響データ取得部２０４に供給する。
【０１７４】
属性情報取得部２０３は、デコード部２０１からの、音楽コンテンツ記憶部２０から読み出されてデコードされた属性情報を受け取り、映像音響データ選択判断制御部２０２に渡す。この属性情報取得部２０３は、ＲＡＭ１２の一部領域を用いるバッファ部で構成されるものである。
【０１７５】
映像音響データ取得部２０４は、デコード部２０１からの、音楽コンテンツ記憶部２０から読み出されてデコードされた映像音響データを受け取り、映像音響データデコード部２０５に渡す。この映像音響データ取得部２０４は、ＲＡＭ１２の一部領域を用いるバッファ部で構成されるものである。
【０１７６】
映像音響データデコード部２０５は、音響データデコード部５１と、映像データデコード部５４とで構成される部分であり、音響データをデコードして、ミキサーおよびエフェクト処理部２０６に渡すと共に、映像データをデコードして、ミキサーおよびエフェクト処理部２０６に渡す。
【０１７７】
ミキサーおよびエフェクト処理部２０６は、音響アレンジ部５２と、映像アレンジ部５５とで構成される部分であり、映像音響データ選択判断制御部２０２からの制御信号を受けて、デコードされた音響データに、他の楽曲の音響データをリミックスしたり、音響データにエフェクト処理を施したり、テンポやキーあるいはコード進行を変えたりする。また、デコードされた映像データにエフェクト処理を施したりする。
【０１７８】
そして、ミキサーおよびエフェクト処理部２０６は、リミックスしたりエフェクト処理したり等した音響データを音響出力部５３に供給すると共に、エフェクト処理等した映像データを映像出力部５６に供給する。
【０１７９】
生体情報取得部３０で取得されるリスナーの生体情報は、映像音響データ選択判断部２０２に供給され、音楽コンテンツの選択および楽曲の再構成のために用いられる。また、周辺環境情報取得部４０で取得された記録再生装置が存在する場所の情報などの周辺環境情報は、映像音響データ選択判断部２０２に供給され、音楽コンテンツの選択および楽曲の再構成のために用いられる。
【０１８０】
また、再生履歴情報保持部１７は、これに供給される映像音響データ選択判断制御部２０１からの読み出し要求に従って、保持している再生履歴情報を映像音響データ選択判断制御部２０１に供給する。この再生履歴情報は、映像音響データ選択判断部２０２において、音楽コンテンツの選択および楽曲の再構成のために用いられる。
【０１８１】
次に、図１１、図１２のフローチャートを参照しながら、再生処理動作について説明する。なお、この図１１、図１２の各処理ステップは、ＣＰＵ１０がＲＯＭ１１のプログラムにしたがって、ＲＡＭ１２をワークエリアとして用いて実行するものである。
【０１８２】
ユーザは、先ず、ユーザインターフェース１３のディスプレイの音楽コンテンツの選択画面から、希望する音楽コンテンツ（楽曲）を選択して、映像音響データ選択判断制御部２０１に対して、１曲目の再生を指示する。２曲目以降は、実施形態の記録再生装置にて自動的に選択されて再生が続行される。
【０１８３】
ユーザインターフェース１３を通じて１曲目の再生指示を受けた映像音響データ選択判断制御部２０１は、当該再生指示を受けた音楽コンテンツを認識すると共に、音楽コンテンツ記憶部２０の属性情報記憶部２２から、当該再生指示を受けた音楽コンテンツの属性情報およびその他の全部の、あるいは所定量の属性情報を読み出すようにデコード部２０２に指示を出す。そして、その指示に応じてデコード部２０２から属性情報取得部２０３を通じて送られてくる属性情報を読み込み、解析する（ステップＳ６１）。
【０１８４】
ここで、映像音響データ選択判断制御部２０１は、後述する次の再生楽曲候補の選定や、聴取中の楽曲の再構成のために、再生指示された音楽コンテンツの属性情報と、他の音楽コンテンツの属性情報を予め取得し、解析して、後述する次の再生楽曲候補の選定や、聴取中の楽曲の再構成のための事前準備をするものである。
【０１８５】
次に、映像音響データ選択判断制御部２０１は、デコード部２０２に、再生指示された音楽コンテンツの映像音響データの読み出しを指示する。すると、デコード部２０２は、音楽コンテンツ記憶部２０から再生指示された音楽コンテンツの映像音響データを読み出して、映像音響データ取得部２０４に渡す。映像音響データ取得部２０４で取得された映像音響データは、映像音響データデコード部２０５に渡されてデコードされ、ミキサーおよびエフェクト処理部２０６を通じて音響出力部５３に供給されて、音響出力されると共に、映像出力部５６に供給されて、映像出力され、再生が開始される（ステップＳ６２）。
【０１８６】
こうして、音楽コンテンツの再生が開始されると、映像音響データ選択判断制御部２０１はリスナーの生体情報を、生体情報取得部３０から取得すると共に、周辺環境情報取得部４０から周辺環境情報を取得する（ステップＳ６３）。
【０１８７】
そして、映像音響データ選択判断制御部２０１は、生体情報取得部３０から取得したリスナーの生体情報から、リスナーは聴取中の楽曲に対して嗜好を示しているかどうか判別する（ステップＳ６４）。
【０１８８】
映像音響データ選択判断制御部２０１は、例えば、体の動きなどの生体情報を、記録再生装置の生体情報センサ３１および生体情報解析部３２を通じて受けることにより、リスナーが積極的に音楽を聴きたい状態か、そうでない状態かを判断する。例えば、音楽にノっている状態では自然と音楽に合わせて体が動く。
【０１８９】
すなわち、再生中の楽曲の楽曲構成情報（楽曲素材単位の区切りやテンポ等）と、体の動きのセンサ（加速度センサ等）の出力信号の相互相関関数を計算する等すれば、その相関係数によりリスナーが積極的に音楽を視聴したい状態かどうかをある程度判断することが可能である。この場合に、属性情報中の感性情報も考慮するとさらに良い。つまり、激しい楽曲であれば、リスナーの体の動きもそれに応じて激しく動き、優しい楽曲の場合では、リスナーの体の動きはゆっくりとしたものとなると予測できる。
【０１９０】
相関係数が高い程、リスナーが音楽を積極的に視聴したい、いわゆる「乗り」の状態と捉えることができる。リスナーが積極的に音楽を聴いている状態にある場合には、より「乗り」数値の高い楽曲の繰り返し再生をすることで、ユーザの嗜好に合わせた楽曲を再生提示できると考えられる。
【０１９１】
また、逆に、楽曲聴取中のリスナーの体の動きが少なく、脳波等も落ち着いた状態であれば、逆に、「乗り」数値の低い静かな曲を音量が小さい状態等で再生提示することにより、ユーザはより穏やかに音楽を楽しむことができると考えられる。
【０１９２】
なお、「乗り」だけでなく、再生中の音楽コンテンツの属性情報に含まれる感性情報、例えば「明るい/暗い」、「やさしい/激しい」、「悲しい／楽しい」等の感性的な数値を参照しながら、リスナー生体情報を解析することで、ユーザが嗜好を示しているかどうかを判断するようにする。つまり、例えば優しい楽曲や悲しい楽曲などは「乗り」数値は低いが、脳波や脈等が落ち着いた状態であれば、嗜好を示しているとされる場合もある。
【０１９３】
ステップＳ６４で、リスナーは再生中の楽曲に対して嗜好を示してはいないと判別したときには、映像音響データ選択判断制御部２０１は、再生履歴情報保持部１７あるいは予め取り込んだ属性情報の各音楽コンテンツに含まれる再生履歴情報を参照して、再生頻度の高い楽曲を検出する（ステップＳ６５）。
【０１９４】
次に、映像音響データ選択判断制御部２０１は、再生頻度の高い楽曲の属性情報の楽曲構成情報を抽出して、リスナーが好んでいると考えられる曲調を判定する。この場合、再生頻度の高い楽曲が複数個あり、それらの曲調が一致している場合には、その曲調の楽曲構成情報をリスナーが好んでいると判定する。また、再生頻度の高い楽曲が複数あり、かつ、曲調も複数通りあるときには、例えば曲調が同様の高頻度再生楽曲をリスナーが好んでいる楽曲構成情報と判定する。
【０１９５】
そして、映像音響データ選択判断制御部２０１は、上記のリスナーが好んでいると判定した曲調の楽曲構成情報と似ている楽曲構成情報を備える他の楽曲、つまり、曲調が似ている他の楽曲を選出し、それらを次の楽曲再生候補とする（ステップＳ６６）。これは、リスナーが現在再生中の楽曲に嗜好を示していないので、過去のリスナーの再生履歴から、リスナーが嗜好していると考えられる楽曲を、リスナーに呈示しようとするものである。
【０１９６】
そして、映像音響データ選択判断制御部２０１は、再生中の楽曲が最後まで再生されたかを監視し（ステップＳ６７）、楽曲の最後まで再生されたと判別したときには、当該再生した楽曲（音楽コンテンツ）についての再生履歴を、再生履歴情報保持部１７において更新すると共に、当該音楽コンテンツの属性情報の再生履歴情報も更新する（ステップＳ６８）。
【０１９７】
そして、映像音響データ選択判断制御部２０１は、ステップＳ６６で決定した再生楽曲候補の中から、次に再生する楽曲の音楽コンテンツを選択し、当該音楽コンテンツの映像音響データの読み出しを指示し、その楽曲の再生を開始するようにする（ステップＳ６９）。そして、ステップＳ６３に戻り、当該ステップＳ６３以降の処理を繰り返す。
【０１９８】
ステップＳ６７で、楽曲の最後まで至っていないと判別したときには、映像音響データ選択判断制御部２０１は、リスナーによりユーザインターフェース１３の操作部に設けられている次ボタンが押下されたか否か判別する（ステップＳ７０）。この次ボタンは、リスナーが現在聴いている楽曲ではなく、次の楽曲を聴きたいときに押下されるボタンである。
【０１９９】
ステップＳ７０で、次ボタンが押下されたと判別したときには、映像音響データ選択判断制御部２０１は、ステップＳ６９に進んで、ステップＳ６６で決定した再生楽曲候補の中から、次に再生する楽曲の音楽コンテンツを選択し、当該音楽コンテンツの映像音響データの読み出しを指示し、その楽曲の再生を開始するようにする。そして、ステップＳ６３に戻り、当該ステップＳ６３以降の処理を繰り返す。
【０２００】
また、ステップＳ７０で次ボタンが押下されてはいないと判別したときには、映像音響データ選択判断制御部２０１は、ユーザインターフェース１３の操作部の停止ボタンがユーザにより押下されたか否か判別し（ステップＳ７１）、停止ボタンが押下されていないと判別したときには、ステップＳ６７に戻り、再生楽曲の終了を監視し、停止ボタンが押下されたと判別したときには、この再生処理ルーチンを終了する。
【０２０１】
また、ステップＳ６４で、リスナーが再生中の楽曲に嗜好を示していると判別したときには、映像音響データ選択判断制御部２０１は、リスナーの嗜好度は高いかどうか、例えば前述した「乗り」数値などを用いて判定する（図１２のステップＳ８１）。
【０２０２】
そして、リスナーの嗜好度がそれほぼ高くないと判別したときには、映像音響データ選択判断制御部２０１は、この実施形態では、周辺環境情報取得部４０から取得した周辺環境情報を加味して、現在再生中の楽曲と曲調が似ている楽曲を次の再生楽曲候補とする（ステップＳ８２）。すなわち、例えば、先ず、現在再生中の楽曲に付随する属性情報の楽曲構成情報と似ている楽曲構成情報を属性情報とする他の楽曲を選定する。そして、周辺環境情報取得部４０から取得した現在地の情報、例えば山や海などの情報を取得し、それらの場所において聴取することがお薦めとなっている周辺環境情報を属性情報に含む楽曲を、その選定された楽曲の中から選択して、次の再生楽曲候補とする。
【０２０３】
なお、ステップＳ８２においては、現在再生中の楽曲と曲調が似ている楽曲は探索せずに、周辺環境情報のみに基づいて、次の再生楽曲候補を決定するようにしても良い。また、当該周辺環境情報に合致する周辺環境情報を備える楽曲のみではなく、その楽曲の楽曲構成情報と似ている楽曲を求めて、それらを次の再生楽曲候補とするようにしてもよい。
【０２０４】
次に、ステップＳ８１で、嗜好度が高いと判別した時には、映像音響データ選択判断制御部２０１は、現在再生中の楽曲と曲調が似ている楽曲を次の再生楽曲候補とする（ステップＳ８３）。すなわち、現在再生中の楽曲に付随する属性情報の楽曲構成情報と似ている楽曲構成情報を属性情報とする他の楽曲を選定し、それらを次の再生楽曲候補とする。
【０２０５】
さらに、映像音響データ選択判断制御部２０１は、再生中の楽曲の属性情報から、楽曲素材単位の区切り情報と共に、テンポや、キーや、コード進行などの楽曲素材単位の楽曲構成情報を取得する（ステップＳ８４）。そして、この楽曲素材単位の区切り情報や、楽曲素材単位の楽曲構成情報を用いて、音楽的に違和感の無いように、楽曲の音響データを再構成する（ステップＳ８５）。なお、このステップＳ８５では、映像データにも、エフェクトをかけたりしても良い。
【０２０６】
音響データの再構成は、例えば前述したリミックスや、エフェクトの他、テンポを速くしたり、遅くしたり、また、キーを上げたり、下げたり、コード進行を変えてみたりする等の処理を含むものである。
【０２０７】
例えば、リミックスの場合には、他の楽曲の楽曲構成情報の中から、当該再生中の楽曲の楽曲構成情報と似ているものを選定して、前記楽曲素材単位の区切りを考慮して、違和感の無い様に元の楽曲に混合するようにする。このリミックスの際に、どのような楽曲素材単位の曲データをミックスするかを、属性情報中の前記感性情報を参照するようにしても良い。
【０２０８】
また、記録再生装置に、予めドラムによるリズムの刻みや、パーカッションのパートを記憶して用意しておき、それらを、再生中の楽曲に楽曲素材単位の区切りに注意しながらリミックスするようにするようにしてもよい。
【０２０９】
また、映像音響データ選択判断制御部２０１は、リミックスする他の楽曲を選定する場合に、周辺環境情報を参照して、当該周辺環境に適合する楽曲を、その属性情報の周辺環境情報を参照することにより探索するようにすることもできる。
【０２１０】
また、再生中の楽曲の属性情報中に、お薦めのエフェクトパラメータが含まれている場合には、そのエフェクトのパラメータを用いて、楽曲素材単位の区切りに注意して、音楽的に違和感の無いように、エフェクト処理を行なうこともできる。
【０２１１】
なお、上述の例では、リスナーが再生中の楽曲に嗜好を示していないときには、ステップＳ６５で再生履歴情報を取得し、ステップＳ６６で当該再生履歴情報に基づいて、次の再生楽曲候補を定めるようにしたが、ステップＳ６５で、周辺環境情報取得部４０を通じて取得した周辺環境情報を解析して例えば山とか海とかの場所を算出し、ステップＳ６６で、属性情報として、当該周辺環境情報に合致する周辺環境情報を備える楽曲を次の再生楽曲候補として定めるようにしてもよい。また、当該周辺環境情報に合致する周辺環境情報を備える楽曲のみではなく、その楽曲の楽曲構成情報と似ている楽曲を求めて、それらを次の再生楽曲候補とするようにしてもよい。
【０２１２】
さらには、映像音響データ選択判断制御部２０１は、ステップＳ６６において、再生履歴情報と、周辺環境情報との両方を用いて、次の再生楽曲候補を決定するようにすることもできる。
【０２１３】
［他の実施形態および変形例］
上述の実施形態の説明では、音楽コンテンツ記憶部は、ハードディスク装置で構成し、音楽コンテンツの映像音響データと、属性情報とが、音楽コンテンツ識別情報（音楽コンテンツＩＤ）を介して対応付けられて記録されるようにしたが、前述もしたように、音楽コンテンツ記憶部は、リムーバル記録メディア（着脱可能メディア）であるＤＶＤなどの光ディスクで構成することもできる。
【０２１４】
また、上述の説明では、音楽コンテンツ記憶部においては、音楽コンテンツには、属性情報が必ず付随するように説明したが、属性情報は、必要に応じて、例えばインターネットから、音楽コンテンツＩＤを検索子として取得して使用するようにすることもできる。その場合には、インターネットに接続されるサーバ装置が属性情報記憶部を構成することになる。
【０２１５】
つまり、音楽コンテンツの映像音響データと、属性情報とは、１つの記憶部に格納されている必要はなく、音楽コンテンツＩＤなどの両者を対応付ける情報を用いて対応することが可能な態様であれば、別々の記憶部に格納されていてもよい。
【０２１６】
また、上述の実施形態は、記録再生装置の場合であるが、この発明は、記録機能の無い再生装置であってもよいことは言うまでもない。
【０２１７】
また、図１１および図１２の再生処理の流れは、一例であって、どのように再生を行なうかは、これに限られるものではない。
【０２１８】
例えば、嗜好度が高いときにのみ、再生中の楽曲について、テンポやキーを変更したり、リミックスしたり、エフェクトをかけたりして再構成処理を行なうようにしたが、嗜好度に関係なく、再生中の楽曲について再構成処理を行なうようにしてもよい。
【０２１９】
また、再生履歴保持部１７から取得した再生履歴情報と、再生対象の音楽コンテンツについての属性情報の楽曲構成情報とに基づいて、音響再生出力する再生対象の音楽コンテンツのデータを再構成するようにしてもよい。この場合、過去の再生履歴により例えば視聴頻度が高く好まれている楽曲を検出し、例えば、その楽曲の属性情報の楽曲構成情報と、再生中の音楽コンテンツの属性情報の楽曲構成情報とを用いて、違和感の無いように、高頻度再生履歴の楽曲データを楽曲素材単位で、再生中の音楽コンテンツのデータに加えたりして、リスナーに好まれる曲調に再生中楽曲を再構成することが可能になる。
【０２２０】
また、周辺環境情報取得手段から取得した周辺環境情報と、再生対象の音楽コンテンツについての属性情報とに基づいて、音響再生出力する再生対象の音楽コンテンツのデータを再構成するようにしてもよい。例えば、海、山、朝、昼、夜などの周辺環境情報を取得し、その周辺環境情報に適合する他の楽曲を、属性情報としての周辺環境情報を検索子として検索し、検索結果の他の楽曲のデータを、再生中の音楽コンテンツの属性情報の楽曲構成情報の区切り情報に合わせて、違和感の無いようにミックスしたりすることにより、音楽コンテンツのデータを再構成することができるので、周辺環境に応じた曲調に再生中楽曲を再構成することが可能になる。
【０２２１】
また、ユーザのユーザインターフェースを通じた再構成要求に応じて、音楽コンテンツに付随する属性情報の楽曲構成情報を用いて上述のような再構成処理をするようにしてもよい。その場合に、ユーザが、リミックス／エフェクト／テンポ変更／キー変更／コード変更のいずれを行なうかを選択することができるようにしても良い。
【０２２２】
また、上述の実施形態では、音楽コンテンツとしては、映像データが付随したものを取り扱うようにしたが、映像データは必須では無いことは言うまでもない。
【０２２３】
また、上述の実施形態では、楽曲の再生を開始する際、最初の楽曲は、ユーザが選択指定するようにしたが、例えば、リスナーの生体情報や、周辺環境情報あるいは再生履歴情報から最初の楽曲を装置が自動的に選択するようにしてもよい。
【０２２４】
例えば、リスナーの生体情報から、リスナーが興奮状態あるいは沈静状態であるかを判別し、それに合致するあるいは逆の曲調の楽曲を最初の曲として選択するようにしても良い。また、現在位置が山か、海かを周辺環境情報から判別し、属性情報に含まれる周辺環境情報を参照して、当該場所に合致する楽曲を選択して、最初の楽曲としてもよい。また、再生履歴から良く聴いている楽曲を最初の楽曲として選択するようにしても良い。
【図面の簡単な説明】
【０２２５】
【図１】この発明による音楽コンテンツの再生装置と、音楽コンテンツおよびその属性情報の記録装置の実施形態とが適用された記録再生装置のブロック図である。
【図２】この発明の音楽コンテンツの再生装置で用いられる属性情報の一部の情報を説明するための図である。
【図３】図１の記録再生装置における処理の一例のフローチャートである。
【図４】図１の記録再生装置の動作を説明するために用いるフローチャートである。
【図５】図１の音楽コンテンツ記憶部の例を説明するための図である。
【図６】図１の音楽コンテンツ記憶部の例を説明するための図である。
【図７】図１の記録再生装置のうちの記録処理動作部を説明するための機能ブロック図である。
【図８】図１の記録再生装置における記録処理動作を説明するためのフローチャートの一部である。
【図９】図１の記録再生装置における記録処理動作を説明するためのフローチャートの一部である。
【図１０】図１の記録再生装置のうちの再生処理動作部を説明するための機能ブロック図である。
【図１１】図１の記録再生装置における再生処理動作を説明するためのフローチャートの一部である。
【図１２】図１の記録再生装置における再生処理動作を説明するためのフローチャートの一部である。
【符号の説明】
【０２２６】
１０…ＣＰＵ、２０…音楽コンテンツ記憶部、３０…生体情報取得部、４０…周辺環境情報取得部、５０…映像・音響出力部
【図１】
2006146980.tif 000003
【図２】
2006146980.tif 000004
【図３】
2006146980.tif 000005
【図４】
2006146980.tif 000006
【図５】
2006146980.tif 000007
【図６】
2006146980.tif 000008
【図７】
2006146980.tif 000009
【図８】
2006146980.tif 000010
【図９】
2006146980.tif 000011
【図１０】
2006146980.tif 000012
【図１１】
2006146980.tif 000013
【図１２】
2006146980.tif 000014
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する再生手段と、
前記音響再生出力を聴取するリスナーの生体情報を取得する検出手段と、
前記取得したリスナーの生体情報と、前記第２の取得手段により取得した前記属性情報とに基づいて、次の再生楽曲候補を決定する決定手段と、
を備える音楽コンテンツの再生装置。
【請求項２】
請求項１に記載の音楽コンテンツの再生装置において、
前記検出手段により取得されたリスナーの生体情報に基づいて、前記音響再生出力中の音楽コンテンツに対して前記リスナーが嗜好を示しているかどうかを判別する判別手段を備え、
前記決定手段は、前記判別手段がリスナーが嗜好を示していると判別したときに、前記第２の取得手段により取得した前記属性情報に基づいて、前記再生対象の音楽コンテンツの属性情報の前記楽曲構成情報と似ている楽曲構成情報を含む属性情報の他の音楽コンテンツを検索して、次の再生楽曲候補とする
ことを特徴とする音楽コンテンツの再生装置。
【請求項３】
請求項２に記載の音楽コンテンツの再生装置において、
音楽コンテンツについての過去の再生履歴を保持する再生履歴保持部と、
前記リスナーが嗜好を示していないと判別したときに、前記再生履歴保持部の前記再生履歴を参照して、再生頻度の高い音楽コンテンツを検索する検索手段と
を備え、
前記決定手段は、前記再生頻度の高い音楽コンテンツの属性情報を前記属性情報記憶部から取得すると共に、当該取得した属性情報の楽曲構成情報と似ている楽曲構成情報を含む属性情報を持つ音楽コンテンツを、次の再生楽曲候補とする
ことを特徴とする音楽コンテンツの再生装置。
【請求項４】
請求項２または請求項３に記載の音楽コンテンツの再生装置において、
前記リスナーの周辺環境情報を取得する周辺環境情報取得手段を備え、
前記決定手段は、前記属性情報に含まれる周辺環境情報が、前記周辺環境情報取得手段で取得した周辺環境情報と似ていることを、前記次の再生楽曲候補とする条件に加える
ことを特徴とする音楽コンテンツの再生装置。
【請求項５】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する再生手段と、
音楽コンテンツについての過去の再生履歴を保持する再生履歴保持部と、
前記再生履歴保持部の前記再生履歴を参照して、再生頻度の高い音楽コンテンツを検索する検索手段と、
前記検索手段により検索された再生頻度の高い音楽コンテンツの属性情報を前記属性情報記憶部から取得すると共に、当該取得した属性情報と似ている属性情報を持つ音楽コンテンツを、次の再生楽曲候補とする決定手段と、
を備える楽曲再生装置。
【請求項６】
請求項５に記載の音楽コンテンツの再生装置において、
周辺環境情報を取得する周辺環境情報取得手段を備え、
前記決定手段は、前記属性情報に含まれる周辺環境情報が、前記周辺環境情報取得手段で取得した周辺環境情報と似ていることを、前記次の再生楽曲候補と決定する条件に加える
ことを特徴とする音楽コンテンツの再生装置。
【請求項７】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得ステップで取得した前記再生対象の音楽コンテンツデータを音響再生出力する再生ステップと、
前記音響再生出力を聴取するリスナーの生体情報を取得する検出ステップと、
前記取得したリスナーの生体情報と、前記第２の取得ステップで取得した前記属性情報とに基づいて、次の再生楽曲候補を決定する決定ステップと、
を備える音楽コンテンツの再生方法。
【請求項８】
請求項７に記載の音楽コンテンツの再生方法において、
前記検出ステップで取得されたリスナーの生体情報に基づいて、前記音響再生出力中の音楽コンテンツに対して前記リスナーが嗜好を示しているかどうかを判別する判別ステップを備え、
前記判別ステップにおいて、前記リスナーが嗜好を示していると判別したときに、前記決定ステップでは、前記第２の取得ステップにより取得した前記属性情報に基づいて、前記再生対象の音楽コンテンツの属性情報の前記楽曲構成情報と似ている楽曲構成情報を含む属性情報の他の音楽コンテンツを検索して、次の再生楽曲候補とする
ことを特徴とする音楽コンテンツの再生方法。
【請求項９】
請求項８に記載の音楽コンテンツの再生方法において、
前記リスナーが嗜好を示していないと判別したときに、音楽コンテンツについての過去の再生履歴を保持する再生履歴保持部の前記再生履歴を参照して、再生頻度の高い音楽コンテンツを検索する検索ステップを備えると共に、
前記決定ステップでは、前記再生頻度の高い音楽コンテンツの属性情報を前記属性情報記憶部から取得すると共に、当該取得した属性情報と似ている属性情報を持つ音楽コンテンツを、次の再生楽曲候補として決定する
ことを特徴とする音楽コンテンツの再生方法。
【請求項１０】
請求項８または請求項９に記載の音楽コンテンツの再生方法において、
周辺環境情報を取得する周辺環境情報取得ステップを備えると共に、
前記決定ステップでは、前記属性情報に含まれる周辺環境情報が、前記周辺環境情報取得手段で取得した周辺環境情報と似ていることを、前記次の再生楽曲候補を決定する条件に加える
ことを特徴とする音楽コンテンツの再生方法。
【請求項１１】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得手段により取得した前記再生対象の音楽コンテンツデータを音響再生出力する再生ステップと、
音楽コンテンツについての過去の再生履歴を保持する再生履歴保持部の前記再生履歴を参照して、再生頻度の高い音楽コンテンツを検索する検索ステップと、
前記検索ステップで検索された再生頻度の高い音楽コンテンツの属性情報を前記属性情報記憶部から取得すると共に、当該取得した属性情報と似ている属性情報を持つ音楽コンテンツを、次の再生楽曲候補とする決定ステップと、
を備える音楽コンテンツの再生方法。
【請求項１２】
請求項１１に記載の音楽コンテンツの再生方法において、
周辺環境情報を取得する周辺環境情報取得ステップを備えると共に、
前記決定ステップでは、前記記録媒体に格納されている音楽コンテンツの前記属性情報に含まれる周辺環境情報が、前記周辺環境情報取得手段で取得した周辺環境情報と似ていることを、前記次の再生楽曲候補を決定する条件に加える
ことを特徴とする音楽コンテンツの再生方法。
【請求項１３】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する再生手段と、
前記音響再生出力を聴取するリスナーの生体情報を取得する検出手段と、
前記取得したリスナーの生体情報と、前記第２の取得手段により取得した属性情報とに基づいて、前記音響再生出力する前記再生対象の音楽コンテンツのデータを再構成する再構成手段と、
を備える音楽コンテンツの再生装置。
【請求項１４】
請求項１３に記載の音楽コンテンツの再生装置において、
前記リスナーの周辺環境情報を取得する周辺環境情報取得手段を備え、
前記再構成手段は、前記検出手段により取得されたリスナーの生体情報と、前記第２の取得手段により取得された前記属性情報とに加えて、前記周辺環境情報取得手段で取得した前記周辺環境情報に基づいて、前記音響再生出力する前記再生対象の音楽コンテンツのデータを再構成する
ことを特徴とする音楽コンテンツの再生装置。
【請求項１５】
請求項１３または請求項１４に記載の音楽コンテンツの再生装置において、
音楽コンテンツについての過去の再生履歴を保持する再生履歴保持部を備え、
前記再構成手段は、前記検出手段により取得されたリスナーの生体情報と、前記属性情報とに加えて、前記再生履歴保持部から取得した前記再生履歴の情報に基づいて、前記音響再生出力する前記再生対象の音楽コンテンツのデータを再構成する
ことを特徴とする音楽コンテンツの再生装置。
【請求項１６】
請求項１３に記載の音楽コンテンツの再生装置において、
前記再構成手段は、前記再生中の音楽コンテンツの楽曲素材単位で他の楽曲の楽曲素材単位のデータを加算する手段を含む
ことを特徴とする音楽コンテンツの再生装置。
【請求項１７】
請求項１３に記載の音楽コンテンツの再生装置において、
前記再構成手段は、前記再生中の音楽コンテンツの楽曲素材単位で特殊効果を施す
ことを特徴とする音楽コンテンツの再生装置。
【請求項１８】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する再生手段と、
音楽コンテンツについての過去の再生履歴を保持する再生履歴保持部を備え、
前記再生履歴保持部から取得した前記再生履歴と、前記再生対象の音楽コンテンツについての前記属性情報とに基づいて、前記音響再生出力する前記再生対象の音楽コンテンツのデータを再構成する再構成手段と、
を備える音楽コンテンツの再生装置。
【請求項１９】
請求項１８に記載の音楽コンテンツの再生装置において、
周辺環境情報を取得する周辺環境情報取得手段を備え、
前記再構成手段は、前記再生対象の音楽コンテンツについての前記属性情報と、前記再生履歴保持部から取得した前記再生履歴に加えて、前記周辺環境情報取得手段で取得した前記周辺環境情報に基づいて、前記音響再生出力する前記再生対象の音楽コンテンツのデータを再構成する
ことを特徴とする音楽コンテンツの再生装置。
【請求項２０】
請求項１８に記載の音楽コンテンツの再生装置において、
前記再構成手段は、前記再生中の音楽コンテンツの楽曲素材単位で他の楽曲の楽曲素材単位のデータを加算する手段を含む
ことを特徴とする音楽コンテンツの再生装置。
【請求項２１】
請求項１８に記載の音楽コンテンツの再生装置において、
前記再構成手段は、前記再生中の音楽コンテンツの楽曲素材単位で特殊効果を施す
ことを特徴とする音楽コンテンツの再生装置。
【請求項２２】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から前記属性情報を取得する第２の取得手段と、
前記第１の取得手段により取得した前記再生対象の音楽コンテンツデータを音響再生出力する再生手段と、
周辺環境情報を取得する周辺環境情報取得手段と、
前記周辺環境情報取得手段から取得した前記周辺環境情報と、前記再生対象の音楽コンテンツについての前記属性情報とに基づいて、前記音響再生出力する前記再生対象の音楽コンテンツのデータを再構成する再構成手段と、
を備える音楽コンテンツの再生装置。
【請求項２３】
請求項２２に記載の音楽コンテンツの再生装置において、
前記再構成手段は、前記再生中の音楽コンテンツの楽曲素材単位で他の楽曲の楽曲素材単位のデータを加算する手段を含む
ことを特徴とする音楽コンテンツの再生装置。
【請求項２４】
請求項２２に記載の音楽コンテンツの再生装置において、
前記再構成手段は、前記再生中の音楽コンテンツの楽曲素材単位で特殊効果を施す
ことを特徴とする音楽コンテンツの再生装置。
【請求項２５】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得ステップにより取得した前記再生対象の音楽コンテンツデータを音響再生出力する再生ステップと、
前記音響再生出力を聴取するリスナーの生体情報を取得する検出ステップと、
前記取得したリスナーの生体情報と、前記第２の取得手段により取得した属性情報とに基づいて、前記音響再生出力する前記再生対象の音楽コンテンツのデータを再構成する再構成ステップと、
を備える音楽コンテンツの再生方法。
【請求項２６】
請求項２５に記載の音楽コンテンツの再生方法において、
前記リスナーの周辺環境情報を取得する周辺環境情報取得ステップを備え、
前記再構成ステップでは、前記取得したリスナーの生体情報と、前記楽曲素材単位の属性情報とに加えて、前記周辺環境情報取得ステップで取得した前記周辺環境情報に基づいて、前記音響再生出力する前記再生対象の音楽コンテンツのデータを再構成する
ことを特徴とする音楽コンテンツの再生方法。
【請求項２７】
請求項２５または請求項２６に記載の音楽コンテンツの再生装置において、
音楽コンテンツについての再生履歴を再生履歴保持部に保持するステップと、
前記再構成ステップでは、前記取得したリスナーの生体情報と、前記属性情報とに加えて、前記再生履歴保持部から取得した前記再生履歴の情報に基づいて、前記音響再生出力する前記再生対象の音楽コンテンツのデータを再構成する
ことを特徴とする音楽コンテンツの再生方法。
【請求項２８】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得ステップにより取得した前記再生対象の音楽コンテンツデータを音響再生出力する再生ステップと、
音楽コンテンツについての過去の再生履歴を保持する再生履歴保持部から取得した前記再生履歴と、前記再生対象の音楽コンテンツについての前記属性情報とに基づいて、前記音響再生出力する前記再生対象の音楽コンテンツのデータを再構成する再構成ステップと、
ことを特徴とする音楽コンテンツの再生方法。
【請求項２９】
請求項２８に記載の音楽コンテンツの再生方法において、
周辺環境情報を取得する周辺環境情報取得ステップを備え、
前記再構成ステップでは、前記再生対象の音楽コンテンツについての前記属性情報と、前記再生履歴保持部から取得した前記再生履歴に加えて、前記周辺環境情報取得ステップで取得した前記周辺環境情報に基づいて、前記音響再生出力する前記再生対象の音楽コンテンツのデータを再構成する
ことを特徴とする音楽コンテンツの再生方法。
【請求項３０】
複数個の音楽コンテンツのデータが格納されている音楽コンテンツデータ記憶部から、再生対象の音楽コンテンツのデータを取得する第１の取得ステップと、
前記音楽コンテンツと対応付けられて、少なくとも前記音楽コンテンツの楽曲素材単位の楽曲構成情報を含む属性情報記憶部から前記属性情報を取得する第２の取得ステップと、
前記第１の取得手段により取得した前記再生対象の音楽コンテンツデータを音響再生出力する再生ステップと、
周辺環境情報を取得する周辺環境情報取得ステップと、
前記周辺環境情報取得ステップで取得した前記周辺環境情報と、前記再生対象の音楽コンテンツについての前記属性情報とに基づいて、前記音響再生出力する前記再生対象の音楽コンテンツのデータを再構成する再構成ステップと、
を備える音楽コンテンツの再生方法。
【請求項３１】
請求項２５〜３０のいずれかに記載の音楽コンテンツの再生方法において、
前記再構成ステップでは、前記再生中の音楽コンテンツの楽曲素材単位で他の楽曲の楽曲素材単位のデータを加算する
ことを特徴とする音楽コンテンツの再生方法。
【請求項３２】
請求項２５〜３０のいずれかに記載の音楽コンテンツの再生方法において、
前記再構成ステップでは、前記再生中の音楽コンテンツの楽曲素材単位で特殊効果を施す
ことを特徴とする音楽コンテンツの再生方法。
【請求項３３】
請求項２４に記載の音楽コンテンツの再生装置において、
前記楽曲素材単位の前記特殊効果のための情報は、前記属性情報の一部として含まれている
ことを特徴とする音楽コンテンツの再生装置。
【請求項３４】
記録対象の音楽コンテンツの音楽素材単位の楽曲構成情報を取得する楽曲構成情報取得手段と、
前記記録対象の音楽コンテンツのデータと、前記楽曲構成情報取得手段で取得した前記楽曲構成情報を含む前記記録対象の音楽コンテンツの属性情報とを関連付けて、記録媒体に記録する手段と、
を備えることを特徴とする音楽コンテンツおよびその属性情報の記録装置。
【請求項３５】
請求項３４に記載の音楽コンテンツおよびその属性情報の記録装置において、
音楽コンテンツについての過去の再生履歴を取得する再生履歴取得手段と、
前記再生履歴取得手段で取得した前記再生履歴を前記属性情報に含めて前記記録媒体に記録する
ことを特徴とする音楽コンテンツおよびその属性情報の記録装置。
【請求項３６】
請求項３４に記載の音楽コンテンツおよびその属性情報の記録装置において、
記録時点の周辺環境情報を取得する周辺環境情報取得手段と、
前記周辺環境情報取得手段で取得した前記周辺環境情報を前記属性情報に含めて前記記録媒体に記録する
ことを特徴とする音楽コンテンツおよびその属性情報の記録装置。
【請求項３７】
記録対象の音楽コンテンツの音楽素材単位の楽曲構成情報を取得する楽曲構成情報取得手段と、
音楽コンテンツについての過去の再生履歴を取得する再生履歴取得手段と、
記録時点の周辺環境情報を取得する周辺環境情報取得手段と、
前記楽曲構成情報取得手段で取得する楽曲構成情報以外のその他楽曲構成情報を入力する入力手段と、
前記楽曲構成情報取得手段で取得した前記楽曲構成情報と、前記再生履歴取得手段で取得した前記再生履歴の情報と、前記周辺環境情報取得手段で取得した前記周辺環境情報と、前記入力手段から入力された前記その他楽曲構成情報とから、ユーザの設定入力に応じて楽曲の再構成のための属性情報を設定する属性情報設定手段と、
前記記録対象の音楽コンテンツのデータと、前記属性情報設定手段で設定された前記属性情報とを関連付けて、記録媒体に記録する手段と、
を備えることを特徴とする音楽コンテンツおよびその属性情報の記録装置。
【手続補正２】
【補正対象書類名】明細書
【補正対象項目名】００７４
【補正方法】変更
【補正の内容】
【００７４】
（５）感性情報
感性情報は、当該楽曲を聴取したリスナーの感覚的認識を表すもので、例えば明るい曲／暗い曲、静かな曲／激しい曲、楽しい曲／悲しい曲などを定量化したデータである。この感性情報は、例えば図２に示すように、「明るい／暗い」、「優しい／激しい」、「楽しい／悲しい」などのそれぞれを、予め感性軸として定義しておき、各感性軸について主観的な感覚的認識の程度を数値化したものを、リスナーにより設定してもらう等の方法で取得する。
【手続補正３】
【補正対象書類名】明細書
【補正対象項目名】００７５
【補正方法】変更
【補正の内容】
【００７５】
例えば、「明るい／暗い」の感性軸の場合、図２に示すように、主観的な感覚的認識の程度を、例えば、１６段階の数値で表す。図２の例では、「明るい」とされる場合ほど数値が大きく、最も暗いとされる場合の数値として「−８」が割り当てられている。「優しい／激しい」、「楽しい／悲しい」などの他の感性軸についても同様とすることができる。感性軸は、これらの他にも設定することが可能である。
【手続補正４】
【補正対象書類名】明細書
【補正対象項目名】０１３７
【補正方法】変更
【補正の内容】
【０１３７】
属性情報記録設定部１０４は、音楽コンテンツ記録指示制御部１０１からの自装置で属性情報を生成する旨の指示を受け取ると、指定された楽曲についての再生履歴が再生履歴情報保持部１７に保持されているか否か判別し、保持されていれば、その再生履歴を属性情報の一部とするために取得する（ステップＳ５４）。なお、再生履歴情報がなければ、属性情報としての再生履歴情報は「無し」を意味する「ｎｕｌｌ」とされる。
【手続補正５】
【補正対象書類名】明細書
【補正対象項目名】０１３８
【補正方法】変更
【補正の内容】
【０１３８】
また、属性情報記録設定部１０４は、記録対象の楽曲を聴取したユーザからユーザインターフェース１３を通じて入力される当該楽曲についての「明るい／暗い」、「激しい／優しい」、「楽しい／悲しい」などの感性情報の数値入力（例えば前述の１６段階の数値）を受け付けて、属性情報の一部とする（ステップＳ５５）。
【手続補正６】
【補正対象書類名】明細書
【補正対象項目名】０１７４
【補正方法】変更
【補正の内容】
【０１７４】
属性情報取得部２０３は、デコード部２０２からの、音楽コンテンツ記憶部２０から読み出されてデコードされた属性情報を受け取り、映像音響データ選択判断制御部２０１に渡す。この属性情報取得部２０３は、ＲＡＭ１２の一部領域を用いるバッファ部で構成されるものである。
【手続補正７】
【補正対象書類名】明細書
【補正対象項目名】０１７５
【補正方法】変更
【補正の内容】
【０１７５】
映像音響データ取得部２０４は、デコード部２０２からの、音楽コンテンツ記憶部２０から読み出されてデコードされた映像音響データを受け取り、映像音響データデコード部２０５に渡す。この映像音響データ取得部２０４は、ＲＡＭ１２の一部領域を用いるバッファ部で構成されるものである。
【手続補正８】
【補正対象書類名】明細書
【補正対象項目名】０１７７
【補正方法】変更
【補正の内容】
【０１７７】
ミキサーおよびエフェクト処理部２０６は、音響アレンジ部５２と、映像アレンジ部５５とで構成される部分であり、映像音響データ選択判断制御部２０１からの制御信号を受けて、デコードされた音響データに、他の楽曲の音響データをリミックスしたり、音響データにエフェクト処理を施したり、テンポやキーあるいはコード進行を変えたりする。また、デコードされた映像データにエフェクト処理を施したりする。
【手続補正９】
【補正対象書類名】明細書
【補正対象項目名】０１７９
【補正方法】変更
【補正の内容】
【０１７９】
生体情報取得部３０で取得されるリスナーの生体情報は、映像音響データ選択判断制御部２０２２０１に供給され、音楽コンテンツの選択および楽曲の再構成のために用いられる。また、周辺環境情報取得部４０で取得された記録再生装置が存在する場所の情報などの周辺環境情報は、映像音響データ選択判断制御部２０１に供給され、音楽コンテンツの選択および楽曲の再構成のために用いられる。
【手続補正１０】
【補正対象書類名】明細書
【補正対象項目名】０１８０
【補正方法】変更
【補正の内容】
【０１８０】
また、再生履歴情報保持部１７は、これに供給される映像音響データ選択判断制御部２０１からの読み出し要求に従って、保持している再生履歴情報を映像音響データ選択判断制御部２０１に供給する。この再生履歴情報は、映像音響データ選択判断制御部２０１において、音楽コンテンツの選択および楽曲の再構成のために用いられる。